(57)【特許請求の範囲】
【請求項１】
外部から供給される遊技球を貯留する貯留タンクと、該貯留タンクの底壁の傾斜下流側に位置し、該貯留タンクに貯留されている遊技球を所定数ずつ排出可能な排出装置と、を有する遊技機において、
前記貯留タンクを遊技機本体に取り付け、該貯留タンクに対して前記排出装置を所定方向に移動可能にすることで、前記貯留タンクから前記排出装置に遊技球が流入可能な流入状態と、前記貯留タンクと前記排出装置との間に球抜き開口部を形成して該排出装置に流入する前の遊技球を該球抜き開口部から流下させる球抜き状態とに変換可能に構成し、
前記球抜き状態で前記貯留タンクに貯留されている遊技球を前記球抜き開口部から流下させ当該遊技機外部に排出する球抜き流路を設け、
前記排出装置から前記貯留タンクの底壁の傾斜上流側へ向けて延出し、前記貯留タンクから前記排出装置に流入する遊技球の積み重なる高さを制限する高さ制限部材を前記排出装置に設け、
前記球抜き流路は、
前記排出装置と一体的に設けられ、前記排出装置内の流路とは別の流路である第１球抜き流路と、
前記第１球抜き流路の下流側で、前記遊技機本体に設けられる第２球抜き流路と、
からなり、
前記第１球抜き流路および前記高さ制限部材を前記排出装置とともに移動可能に構成し、前記排出装置を移動させて前記球抜き状態に変換させると、該第１球抜き流路が、前記球抜き開口部と第２球抜き流路とに連通して前記排出装置に流入する前の遊技球を自然流下させるように構成したことを特徴とする遊技機。
【請求項２】
前記排出装置は、回転軸を中心に回転可能に構成されるとともに、前記貯留タンクの遊技球が導入される導入部から遊技球を受け入れる複数の球受部を有する回転体を備え、該回転体の回転に応じて、該球受部に遊技球を受け入れるとともに受け入れた遊技球を導出部に１個宛導出するように構成され、
前記球抜き開口部を前記導入部よりも前記貯留タンク側に形成し、
前記流入状態から前記球抜き状態への移動で前記排出装置を斜め上方に移動し、前記導入部が前記球抜き開口部に向けて下り傾斜して該導入部の遊技球を前記球抜き開口部に流下させるように構成したことを特徴とする請求項１に記載の遊技機。
【請求項３】
前記排出装置には、前記導入部の下方に前記回転体を収容する回転体収容部を設け、
前記流入状態で前記回転体収容部が位置する領域の一部と、前記球抜き状態で前記第１球抜き流路が位置する領域の一部とが重なるようにしたことを特徴とする請求項２に記載の遊技機。
【請求項４】
前記排出装置に前記流入状態と前記球抜き状態との移動を支持する移動支持部が設けられ、
前記遊技機本体に、前記移動支持部をガイドするガイド部が設けられ、
前記ガイド部に、前記排出装置が前記球抜き状態で前記移動支持部と係合する係合部が設けられていることを特徴とする請求項１〜３のいずれか１項に記載の遊技機。
【発明の詳細な説明】
【技術分野】
【０００１】
外部から供給される遊技球を貯留する貯留タンクと、該貯留タンクの底壁の傾斜下流側に位置し該貯留タンクに貯留されている遊技球を所定数ずつ排出可能な排出装置と、を有する遊技機に関する。
【背景技術】
【０００２】
従来の遊技機における前面枠の裏面側上部には、島設備から供給される遊技球を一時的に貯留する貯留タンクが設けられている。該貯留タンクの下流側には導出樋が設けられ、貯留タンクに貯留された遊技球は導出樋を流下して１列に整流されながら遊技機裏面の側方部に導かれるようになっている。前面枠の裏面側一側部には垂直方向の球流路が設けられ、この球流路の上流端部は前記導出樋の下流端部と接続されていて、導出樋を流下した遊技球は前面枠の側端部近辺で垂直方向に流下方向を変更することとなっている。前記排出装置はこの球流路の途中に設けられ、この排出装置により所定数ずつ遊技球が排出されるようになっている。
【０００３】
また、遊技機の保守点検時や。島設備からの遊技機の入れ替え（前面枠や遊技盤だけ交換する場合も有り）の際などに、貯留タンク内の遊技球を落として散乱させたりしないように、保守点検や入れ替えの前に、貯留タンク内の遊技球を外部に排出して回収する（球抜きする）場合がある。そのため、上述の導出樋の下の球流路には、入賞時の賞球の払い出し用に、遊技球の流下経路の途中に排出装置を介した排出流路と、球抜き用の球抜き流路が設けられている。また、排出流路と球抜き流路との上端部には、タンク内の遊技球が流下する流路を切り替える流路切替機構が設けられ、流路切替機構を操作することで、通常排出流路に設定されている流路を、球抜き時に球抜き流路に切り替えることで、球抜きを行えるようになっていた。
【０００４】
また、前記排出装置を、貯留タンクに一体的に設けるようにした遊技機も考えられている。（例えば、特許文献１参照）。
この特許文献1に提案されている遊技機の排出装置（球送出装置）では、貯留タンクか
ら直接流入する遊技球を回転ディスクに受け入れ、回転ディスクに受け入れた遊技球を回転ディスクを回転させることで１個ずつ排出装置の排出口に移動させ、これにより１個宛遊技球を排出するようになっている。
この遊技機のように、前記貯留タンクに排出装置を一体的に設けるようにした場合には、前面枠における前記開口部の一側部には、単に球流路のみを設けるだけとなることから、上記したような遊技盤の電気機器が大型化した場合でも、排出装置の配置スペース的な問題を解消できるといった効果がある。
【０００５】
ところで、このように貯留タンクに一体的に排出装置を設けた場合に、排出装置の前に遊技球が流下する導出樋や球流路の上流部が存在せず、直接貯留タンク内の遊技球が排出装置に流入する構成となるので、貯留タンクから排出装置に向かう球流路に分岐を設けて、球抜き流路を設けることができない。
そこで、前記特許文献１に提案される遊技機においては、排出装置に払出用の排出口と球抜き用の排出口とを設け、回転ディスクを正転させると遊技球を払出用の排出口に導き、回転ディスクを逆転させると遊技球を球抜き用の排出口に排出するようになっている。
【先行技術文献】
【特許文献】
【０００６】
【特許文献１】特開２０００−７９２２５号公報
【発明の概要】
【発明が解決しようとする課題】
【０００７】
しかしながら、従来のように回転ディスクを逆転させて遊技球を一個ずつ順次球抜きするようにしたのでは、全ての遊技球が抜き終わるまで長時間かかってしまうという問題がある。
【０００８】
本発明の課題は、遊技球を貯留する貯留タンクと、貯留タンクに貯留された遊技球を賞球として排出する排出装置とを有する遊技機において、貯留タンクを空にするために遊技球を球抜きする（排出する）際に、迅速に遊技球を球抜きすることができるようにすることである。
【課題を解決するための手段】
【０００９】
以上の課題を解決するため、請求項１に記載の発明は、外部から供給される遊技球を貯留する貯留タンクと、該貯留タンクの底壁の傾斜下流側に位置し、該貯留タンクに貯留されている遊技球を所定数ずつ排出可能な排出装置と、を有する遊技機において、
前記貯留タンクを遊技機本体に取り付け、該貯留タンクに対して前記排出装置を前記底壁の傾斜下流側に移動可能にすることで、前記貯留タンクから前記排出装置に遊技球が流入可能な流入状態と、前記貯留タンクと前記排出装置との間に球抜き開口部を形成して該排出装置に流入する前の遊技球を該球抜き開口部から流下させる球抜き状態とに変換可能に構成し、
前記球抜き状態で前記貯留タンクに貯留されている遊技球を前記球抜き開口部から流下させ当該遊技機外部に排出する球抜き流路を設け、
前記排出装置から前記貯留タンクの底壁の傾斜上流側へ向けて延出し、前記貯留タンクから前記排出装置に流入する遊技球の積み重なる高さを制限する高さ制限部材を前記排出装置に設け、
前記球抜き流路は、
前記排出装置と一体的に設けられ、前記排出装置内の流路とは別の流路である第１球抜き流路と、
前記第１球抜き流路の下流側で、前記遊技機本体に設けられる第２球抜き流路と、
からなり、
前記第１球抜き流路および前記高さ制限部材を前記排出装置とともに移動可能に構成し、前記排出装置を移動させて前記球抜き状態に変換させると、該第１球抜き流路が、前記球抜き開口部と第２球抜き流路とに連通して前記排出装置に流入する前の遊技球を自然流下させるように構成したことを特徴とする遊技機。
【００１０】
なお、排出装置が貯留タンクに一体的に設けられるようにしてもよい。ここで、排出装置が貯留タンクに一体的に設けられるとは、必ずしも、排出装置が貯留タンクに一体成型されることではなく、例えば、貯留タンクと排出装置との間に遊技球を一条（もしくは２条等の数条）に整列させる誘導樋等の整列用通路を設けることなく、貯留タンクに貯留された遊技球が直接排出装置に流入する構造となっていることである。例えば、貯留タンクと排出装置とが間に間隔をおいて離れた位置に有り、これらの間隔に遊技球を貯留タンクから排出装置に送る遊技球通路がある構成ではなく、貯留タンクと排出装置とが位置的に間隔を置かずに配置された状態であり、貯留タンクの一部の構成と排出装置の一部の構成とが共有された状態となっており、必ずしも明確な境界が存在しない状態となっている。
そして、このような構成を本発明に適用した場合、本発明では、貯留タンクと排出装置が一体の状態で、貯留タンクに対して排出装置が移動できるように貯留タンクに対して排出装置を分割した構成とし、排出装置を移動して、貯留タンクと排出装置との間に球抜き開口部を形成できるものとなる。そして、分割された構成において、上述の共有部分は、貯留タンク側もしくは排出装置側に振分られている。
また、排出装置は、遊技球を一個宛排出可能、すなわち、排出される遊技球をカウントして賞球数として予め設定された所定数（一つの数値もしくは複数の数値）を排出可能なものならば良い。
【００１１】
請求項１に記載の発明によれば、貯留タンクに対して排出装置を所定方向に移動可能にすることで、前記貯留タンクから前記排出装置に遊技球が流入可能な流入状態と、前記貯留タンクと前記排出装置との間に球抜き開口部を形成する球抜き状態とに変換可能となっている。従って、排出装置を貯留タンクに対して所定方向に移動して、球抜き開口部を開放することにより、短時間に多くの遊技球を貯留タンクを空にするための球抜き用として排出可能となる。すなわち、短時間で貯留タンクを空にすることができる。また、貯留タンクから排出装置に流入する遊技球の積み重なる高さを制限する高さ制限部材を排出装置に設けたので、積み重なった状態の遊技球同士が噛み合ってブリッジを形成するのを防止することができる。
【００１２】
請求項２に記載の発明は、請求項１に記載の遊技機において、
前記排出装置は、回転軸を中心に回転可能に構成されるとともに、前記貯留タンクの遊技球が導入される導入部から遊技球を受け入れる複数の球受部を有する回転体を備え、該回転体の回転に応じて、該球受部に遊技球を受け入れるとともに受け入れた遊技球を導出部に１個宛導出するように構成され、
前記球抜き開口部を前記導入部よりも前記貯留タンク側に形成し、
前記流入状態から前記球抜き状態への移動で前記排出装置を斜め上方に移動し、前記導入部が前記球抜き開口部に向けて下り傾斜して該導入部の遊技球を前記球抜き開口部に流下させるように構成したことを特徴とする。
【００１３】
ここで、導入部は、例えば、貯留タンクの底壁部分に形成された開口部の周囲となる部分であるが、導入部は、開口部の周縁部分で、遊技球を開口部下側の球受部に導入するように、開口部に向かって傾斜した状態となっている。
【００１４】
請求項２に記載の発明によれば、回転軸を中心に回転可能に構成されるとともに、前記貯留タンクの遊技球が導入される導入部から遊技球を受け入れる複数の球受部を有する回転体を備え、該回転体の回転に応じて、該球受部に遊技球を受け入れるとともに受け入れた遊技球を導出部に１個宛導出するが、この際に、導入部は、上述のように傾斜している必要があり、この際に導入部上の遊技球は、導入部の傾斜により、貯留タンクの開放された球抜き開口部から流出せず、貯留タンク内に残ってしまう可能性がある。
【００１５】
そこで、排出装置は、流入状態から前記球抜き状態への移動で前記排出装置を斜め上方に移動し、前記導入部が前記球抜き開口部に向けて下り傾斜するようにしたので、導入部上の遊技球も排出装置を傾けることで、球抜き開口部から流出することになり、貯留タンク内に遊技球が残るのを防止することができる。
【００１６】
請求項３に記載の発明は、請求項２に記載の遊技機において、
前記排出装置は、前記導入部の下方に前記回転体を収容する回転体収容部を設け、
前記流入状態で前記回転体収容部が位置する領域の一部と、前記球抜き状態で前記第１球抜き流路が位置する領域の一部とが重なるようにしたことを特徴とする。
【００１７】
請求項３に記載の発明によれば、排出装置を上述のように傾けて球抜き開口部を開放させる球抜き状態とした際に、排出装置の導入部の下方に設けられた回転体収容部が流入状態の位置に、第１球抜き流路が移動することになる。すなわち、第１球抜き流路の少なくとも下端部が排出装置の導出部に近付くことになり、第２球抜き流路と、導出部から排出される遊技球の流路とを略同じ位置にすることが可能となる。
【００１８】
なお、上述のように、球抜き状態において排出装置を傾けなくても第1球抜き流路を排
出装置とともに略水平に平行移動するだけで第1球抜き流路を流入状態の回転体収容部の
位置と重なるようにすることは予め第１球抜き流路を傾けて形成することで可能であり、これは請求項１の範囲内の構成である。
ただし、上述のように第１球抜き流路を最初から斜めとした場合に比較して、排出装置を傾けることにより第１球抜き流路を斜めとする構成、すなわち排出装置を傾ける前は、第１球抜き流路が鉛直方向を向くかそれより僅かに傾斜した状態とした方が、限られた空間内に配置されるとともに限られた移動範囲で移動可能な第１球抜き流路をより太くすることが可能となる。
また、第１球抜き流路を平行移動する場合は、球抜き状態において、第１球抜き流路の上端が開放された球抜き開口部の下に位置し、第１球抜き流路の下端が第２球抜き流路の上端の上に位置する必要があり、開放された球抜き開口部と第２球抜き流路との垂直方向の距離と水平方向の距離で流入状態及び球抜き状態の両方の傾きが決まることになるが、排出装置を流入状態から球抜き状態とする際に傾ける場合には、その傾きの傾斜角分だけ第１球抜き流路の流入状態における傾斜角を少なくすることができる。
【００１９】
請求項４に記載の発明は、請求項１〜３のいずれか１項に記載の遊技機において、
前記排出装置に前記流入状態と前記球抜き状態との移動を支持する移動支持部が設けられ、
前記遊技機本体に、前記移動支持部をガイドするガイド部が設けられ、
前記ガイド部に、前記排出装置が前記球抜き状態で前記移動支持部と係合する係合部が設けられていることを特徴とする。
【００２０】
請求項４に記載の発明によれば、前記排出装置に前記流入状態と前記球抜き状態との移動を支持する移動支持部が設けられ、前記遊技機本体に、前記移動支持部をガイドするガイド部が設けられているので、ガイド部に移動支持部を支持させることが可能となり、移動支持部を介して移動中の排出装置を遊技機本体側に支持させることができる。
すなわち、排出装置を貯留タンクだけで移動自在に支持する場合は、貯留タンクと排出装置との連結部分を高い強度を有する構造とする必要があり、組み立ての作業製やコスト的に問題があるが、遊技機本体側でも排出装置の移動をガイドする構造とすることで、排出装置を移動自在としても強度的に問題が無くスムーズに排出装置を移動できる。
【００２１】
また、前記ガイド部に、前記排出装置が前記球抜き状態で前記移動支持部と係合する係合部が設けられているので、貯留タンク内の遊技球を全て排出するまで、排出装置を手で支えていなくても、係合部に移動支持部を係合させることで、排出装置を球抜き状態に保持することができるので、作業員は、貯留タンク内の遊技球を排出している間に、他の作業を行うことができ、例えば、排出された遊技球を球箱等に入れたりすることができる。
【発明の効果】
【００２２】
本発明によれば、貯留タンクから排出装置に遊技球を直接流入できるように、該貯留タンクに対して前記排出装置を所定方向に移動可能にすることで、前記貯留タンクから前記排出装置に遊技球が流入可能な流入状態と、前記貯留タンクの底壁の下流端部と前記排出装置との間に球抜き開口部が形成された球抜き状態とに変換可能となっている。従って、排出装置を貯留タンクの底壁の下流側、すなわち、貯留タンクから離れる側に移動して、球抜き開口部を開放することにより、短時間に多くの遊技球を球抜き用に排出可能となる。すなわち、短時間で貯留タンクを空にすることができる。
【図面の簡単な説明】
【００２３】
【図１】本発明を適用した実施形態にかかる遊技機の裏面側を示す斜視図である。
【図２】図１の状態から機枠を外すともに裏機構枠を開放した遊技機の裏面側を示す斜視図である。
【図３】貯留タンク及び排出装置からなるタンク排出装置を取り外した前記裏機構枠を示す平面図である。
【図４】前記タンク排出装置の裏面側を示す分解斜視図である。
【図５】前記タンク排出装置の裏面側を示す分解斜視図である。
【図６】前記タンク排出装置の裏面側を示す斜視図である。
【図７】前記タンク排出装置の裏面側を示し、貯留タンクから僅かに排出装置を離した状態の斜視図である。
【図８】流入状態におけるタンク排出装置を示す要部断面図である。
【図９】球抜き状態におけるタンク排出装置を示す要部断面図である。
【図１０】球抜き状態において遊技球を球抜きしているタンク排出装置を示す要部断面図である。
【図１１】前記貯留タンク及び排出装置の筐体部を示す平面図である。
【図１２】前記貯留タンク及び前記筐体部を示す斜視図である。
【図１３】前記貯留タンク及び前記筐体部を示す図面である。
【図１４】前記貯留タンク及びスプロケット及び回転体上部材を収納した筐体部を示す斜視図である。
【図１５】遊技球を貯留した貯留タンクと、スプロケット及び回転体上部材を収納した筐体部とを示し、遊技球の流動方向を説明するための平面図である。
【図１６】遊技球を貯留した貯留タンク及び遊技球が導入された排出装置を示す図面である。
【図１７】前記貯留タンクの断面構造を説明するための図面である。
【図１８】遊技球が導入された排出装置を示す断面図である。
【図１９】前記排出装置の底部を示す斜視図である。
【図２０】前記排出装置における遊技球の導出を説明するための排出装置の底部を示す平面図である。
【図２１】前記排出装置における遊技球の導出を説明するための排出装置を示す要部断面図である。
【発明を実施するための形態】
【００２４】
以下、この発明の実施形態について図面を参照して説明する。
ここでは、本発明にかかる遊技機の適例としてのパチンコ遊技機について図１から図２１を用いて説明を行う。
【００２５】
図１に示すように、本実施形態の遊技機１００は、矩形枠状に構成された機枠１１０を備え、この機枠１１０の一側方には、該機枠１１０に対し回動可能に矩形枠状の前面枠１２０が軸支されている。なお、図1は機枠１１０を有する遊技機１００全体の背面側を示し、図２は機枠１１０から取り外された前面枠１２０を示す。
また、図１及び図２に示すように、前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０とを有する。また、前面枠本体１３０の裏面側には、表示ユニット１７０を備える裏機構枠１６０が回動可能に軸支されている。
【００２６】
前面枠本体１３０は、矩形枠状の機枠１１０内にちょうど収まるように、概略矩形板状に構成されるとともに、その中央から上端部に渡る部分に後述する遊技盤１を嵌め込んで収容するための方形状の開口部が形成されている。そして、前面枠本体１３０に収容された遊技盤１の前面が前面枠本体１３０の開口部から前側に臨むようになっている。すなわち遊技盤１は、前面枠本体１３０に嵌め込まれることで前面枠１２０に取り付けられている。
【００２７】
また、前面枠本体１３０の遊技盤１が嵌め込まれた開口部、すなわち、前面枠本体１３０の中央より少し下側から上端部にわたる部分には、前面枠本体１３０の前側を覆うように前記クリア部材保持枠１４０が配置されており、遊技盤１の前面と前記クリア部材保持枠１４０に嵌め込まれたクリア部材としてのガラス板との間で、遊技盤１の前面に設けられたガイドレール（図示略）に囲まれた部分が、遊技球が発射されて流下する遊技領域（図示略）とされている。
【００２８】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の遊技領域の前側を開放可能となっている。
クリア部材保持枠１４０には、前面枠本体１３０の開口部をほぼ閉塞するように、該開口部に嵌め込まれた遊技盤１との間に遊技球が流下可能な遊技領域となる間隔を開けて二重のガラス板が固定されている。そして、クリア部材保持枠１４０において、遊技機１００の前側からガラス板を介して遊技盤１の前面側の少なくとも遊技領域の部分が視認可能となっている。
【００２９】
また、前面枠本体１３０の前面側のクリア部材保持枠１４０の下側には、発射操作ユニット１５０が取り付けられている。
発射操作ユニット１５０は、左右側部のうちの一側部となる左側部を前面枠本体１３０に軸着されて、左右方向に回動して開閉自在な開閉パネル（図示略）とその下の下部パネル（図示略）とからなる。開閉パネルは、排出された遊技球を貯留するとともに、遊技球を発射する発射装置（図示略）に遊技球を送る上皿（図示略）を有している。また、開閉パネルの下側の下部パネルには、上皿に収容しきれない遊技球を収容する下皿（図示略）及び灰皿（図示略）と、遊技領域に向けての遊技球の発射操作を行うとともに、該遊技領域に遊技球を発射する際の発射勢を調節するための操作ハンドル１５１、音声を出力するスピーカ（図示略）などが設けられている。
【００３０】
また、前面枠本体１３０の裏面側であって、遊技盤１が嵌め込まれた開口部の上端部から中央より少し下側にわたる部分には、前面枠本体１３０の裏面側を覆うように裏機構枠１６０が配置されている。
図２に示すように、裏機構枠１６０の前面の左側の端部は、前面枠本体１３０の裏面であって遊技機１００の裏面側から見て右側の側部に設けられた取付部材に回動可能に軸支されて扉状に開閉自在とされ、裏機構枠１６０を開くことにより、遊技盤１の裏面側の上部を開放可能となっている。
【００３１】
その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００３２】
前面枠本体１３０の開口部に嵌め込まれる遊技盤１は、木製の遊技盤本体の図示しない前面に略円形に配されたガイドレールで囲まれた遊技領域を有し、この遊技領域内に遊技球（打球；遊技媒体）を発射して遊技を行うようになっている。
遊技領域内には、図示しないが、普図始動ゲート、この普図始動ゲートを遊技球が通過して普図変動表示ゲームが未処理となっている未処理回数を表示する普図始動記憶表示器、普通図柄の変動表示ゲームを表示する普図変動表示器が設けられている。また、普通変動入賞装置と、この普通変動入賞装置に遊技球が入賞して特図変動表示ゲームが未処理となっている未処理回数を点灯表示する特図始動記憶表示器、特別図柄（特図、識別情報）の変動表示ゲームの表示領域となる表示用窓部１２を形成する前面構成部材１１（裏面側を図２に図示）、特別変動入賞装置、盤装飾ランプ、一般入賞口、風車と呼ばれる打球方向変換部材、多数の障害釘などが設けられている。
【００３３】
普図始動ゲート内には、該普図始動ゲートを通過した遊技球を検出するためのゲートセンサが設けられている。そして、遊技領域内に打ち込まれた遊技球が、普図始動ゲート内を通過すると、図示しない普図変動表示器において普図の変動表示ゲームが行われる。ここで、普図変動表示器は、例えば、ＬＥＤなどによって構成され、普通図柄（例えば、数字、記号、キャラクタ図柄など）の変動表示ゲームは、普図変動表示器の点灯状態を所定時間変動表示させた後、停止表示させることにより行うようになっている。なお、特図の変動表示ゲームの表示領域の一部で普図変動表示ゲームを表示するようにしても良い。この普図の変動表示ゲームの結果、普図変動表示器における停止表示が特別の結果態様となれば、普図の当たりとなって、普通変動入賞装置の開閉部材が所定時間（例えば、０.５
秒間）後述のように開放される。これにより、普通変動入賞装置に遊技球が入賞しやすくなり、特図の変動表示ゲームの始動が容易となる。
【００３４】
普通変動入賞装置は左右一対の開閉部材を具備し、この開閉部材は、常時は遊技球が１個流入可能な程度の間隔で閉じた状態（遊技者にとって不利な状態）を保持しているが、普図変動表示器の普図変動表示ゲームの結果が所定の停止表示態様（例えば、「７」）となった場合には、逆「ハ」の字状に開いて普通変動入賞装置に遊技球が流入し易い状態（遊技者にとって有利な状態）に変化されるようになっている。
この普通変動入賞装置は、特図の始動入賞口も兼ねている。すなわち、普通変動入賞装置の内部（入賞領域）に備えられた始動口センサ（図示略）により遊技球を検出することに基づき始動条件が成立し、特図の変動表示ゲームが開始されるようになっている。
【００３５】
図２に示すように、遊技盤１（遊技領域）の略中央部には、特図の変動表示ゲームの表示領域となる表示用窓部１２を形成する前面構成部材１１が取り付けられている。
前面構成部材１１は、断面が複雑な曲線となった筒状の部材であって、筒状の空間が延在する方向が遊技盤１の前後方向に沿うように、遊技盤１の略中央部に形成された表示用開口部に挿入された状態で取り付けられている。なお、表示用開口部は、断面が複雑な曲線となった前面構成部材１１の断面形状に合わせて形成されている。
【００３６】
前面構成部材１１の前端面には装飾が施されているとともに、盤装飾としての盤装飾ランプが設けられている。また、前面構成部材１１の内周面のうち下側となる部分は、遊技球が転動可能なステージとなっている。前面構成部材１１の後部は、遊技盤の裏面よりも後方に突出しており、その後端部１６には、後述する裏機構枠１６０に取り付けられた表示ユニット１７０の前面が接するように配される。これによって、筒状の前面構成部材１１の開口部である表示用窓部１２を介して、表示ユニット１７０の画像表示面１７１の表示を遊技盤１の前面側から見ることができるようになっている。なお、画像表示面１７１の面積は表示用窓部１２の面積よりも十分広くなっており、画像表示面１７１上の表示は表示用窓部１２が配された領域のみで行われるように制御されている。
【００３７】
そして、遊技領域内に打ち込まれた遊技球が特図の始動口を兼ねる普通変動入賞装置へ進入して始動条件が成立することに基づき、画像表示面１７１にて複数種類の識別情報（例えば、数字、記号、キャラクタ図柄など）を変動表示させる特別図柄の変動表示ゲームを実行可能となっている。なお、特図の変動表示ゲームは、画像表示面１７１において、複数種類の識別情報を所定時間変動表示させることにより行う。
そして、この特図の変動表示ゲームの結果として、画像表示面１７１の表示態様が特別結果態様（例えば、「７，７，７」等のゾロ目数字の何れか）となった場合には、大当たりとなって特別遊技状態（いわゆる、大当たり状態）となる。
【００３８】
特別変動入賞装置は、上端側が手前側に倒れる方向に回動して開放可能になっているアタッカ形式の開閉扉によって開閉される大入賞口を備えていて、特別遊技状態中は、大入賞口を閉じた状態から開いた状態に変換することにより大入賞口内への遊技球の流入を容易にさせる。なお、開閉扉は、例えば、ソレノイドのような駆動装置により駆動される。また、大入賞口の内部（入賞領域）には、該大入賞口に入った遊技球を検出するための大入賞口用センサが配設されている。
【００３９】
また、遊技領域に設けられた各一般入賞口には、一般入賞口に入った遊技球を検出するための一般入賞センサが配設されている。そして、遊技を開始することにより遊技領域内に打ち込まれた遊技球が、一般入賞口、始動入賞口（普通変動入賞装置）、大入賞口（特別変動入賞装置）等の入賞口の何れかに入賞すると、それぞれの入賞口に対応した所定数の賞球としての遊技球が後述の排出制御基板３４（排出制御装置）の制御により排出装置２００によって上皿に排出される（払い出される）ようになっている。
【００４０】
また、図１，２に示すように、遊技機１００は、その制御系として遊技の進行を制御する主制御回路（主制御基板３０、図１にだけ図示）、この主制御回路の制御下で各種の演出に関する制御を行う第１制御回路（演出ＲＯＭ基板３２）、第２制御回路（演出制御基板３３）、賞球の払い出しの制御を行う排出制御回路（排出制御基板３４）、発射装置による遊技球の発射を制御する発射制御回路（発射制御基板、図示略）、電力を供給する電源回路（電源基板３７）を備えている。
【００４１】
主制御回路としての主制御基板３０は、図示しないがＣＰＵ、ＲＡＭ、ＲＯＭ等を有する遊技用マイクロコンピュータ、入出力インタフェース、各種処理の同期やタイマ等のためのパルス信号を出力するクロック（発振器）等により構成されている。
ＣＰＵは、制御部、演算部を備え、演算制御を行う他、特図変動表示ゲームの大当たり判定用乱数値などの各種乱数値なども生成している。
ＲＡＭは、普通変動入賞装置内に設けられた始動口センサのオン信号などを記憶する記憶領域や、前記各種乱数値の記憶領域、並びに、ＣＰＵの作業領域等を備えている。
ＲＯＭには、遊技上の制御プログラムや制御データが書き込まれている他、上述の各種乱数値に対応して、特図の変動表示ゲームの大当り発生を判定するための、特図の変動表示ゲームの大当り判定値、変動パターン（リーチアクションの種類）の判定値などが記憶されている。
【００４２】
また、入出力インタフェースには、ローパスフィルタ及びバッファーゲートを介して、普通変動入賞装置の始動口センサなどが接続されており、これらからの各種信号が入力され、これら各種信号は、該入出力インタフェースにより中継されて、ＣＰＵに対し出力される。
さらに、入出力インタフェースには、ＣＰＵから出力される各種の制御信号が入力され、これら制御信号は、該入出力インタフェースにより中継されて、図示しない出力ポート及びドライバを介して、普通変動入賞装置や特別変動入賞装置の駆動手段としての各種開閉ソレノイド、第１制御回路としての演出ＲＯＭ基板３２、賞球の排出を制御する排出制御回路としての排出制御基板３４などに出力されている。
【００４３】
第１制御回路としての演出ＲＯＭ基板３２は、演出の制御内容を記憶した制御ＲＯＭ、画像や映像データが記憶されたＣＧＲＯＭ、音データが記憶された音データＲＯＭを備えている。なお、この演出ＲＯＭ基板３２に備えられた各種ＲＯＭの記憶内容は、遊技機の機種に依存するものである。
また、演出ＲＯＭ基板３２は、主制御基板３０から出力される制御信号（各種コマンドなど）を中継して演出制御基板３３に送信するようになっている。
さらに、演出ＲＯＭ基板３２は、盤装飾ランプなどの盤装飾を駆動する図示しない装飾ドライバを備えており、演出制御基板３３が主制御基板３０から受信した制御信号（演出コマンド）に基づいて（主制御基板３０の制御の下に）この盤装飾ドライバを制御し、盤装飾の制御を行うようになっている。
【００４４】
また、この演出ＲＯＭ基板３２と直接接続された第２制御回路としての演出制御基板３３は、制御装置としてのＣＰＵ、ＲＡＭや、表示ユニット１７０（液晶表示パネル）における表示を制御する画像用メモリとしてのＲＡＭや、グラフィックプロセッサとしてのＶＤＰ（video display processor）などを含むビデオ回路、音の出力を制御する音源ＬＳＩ等を備えている。なお、この演出制御基板３３は、複数の機種において共通使用可能なものである。
この演出制御基板３３は、主制御基板３０から演出ＲＯＭ基板３２を介して受信した制御信号（演出コマンド）に基づいて（主制御基板３０の制御の下に）枠装飾ランプなどによる枠装飾の制御、表示ユニット１７０の液晶表示パネル、液晶表示パネルに備えられたバックライトの制御、スピーカによる音の出力の制御を行う。
また、主制御基板３０から演出ＲＯＭ基板３２を介して受信した制御信号（演出コマンド）基づいて（主制御基板３０の制御の下に）演出ＲＯＭ基板３２に備えられた盤装飾ドライバを介して盤装飾を行う。
【００４５】
排出制御回路としての排出制御基板３４は、ＣＰＵ、ＲＡＭ、ＲＯＭ等を有するマイクロコンピュータを有し、主制御基板３０からの制御信号（賞球コマンド）や、球貸機（図示略）からの制御信号（球貸しコマンド）に基づいて所要数の遊技球（賞球、貸球）を排出装置２００から排出させる制御を行う。
また、発射制御回路としての発射制御基板は、発射装置による遊技球の発射制御を行う。
そして、上述の各制御基板や、遊技機１００に備えられた各装置には、電源回路としての電源基板３７から電力が供給されるようになっている。
【００４６】
これらの制御回路においては、例えば以下のような制御が行われる。
主制御基板３０のＣＰＵでは、普通変動入賞装置に備えられた始動口センサからの遊技球の検出信号の入力に基づき、特図の大当たり判定用乱数値を抽出してＲＯＭに記憶されている判定値と比較し、特図の変動表示ゲームの当たり外れを判定する処理を行う。また、この他に変動パターンの判定を行う処理などを行い、これらの結果を含む制御信号を演出ＲＯＭ基板３２を介して演出制御基板３３に出力する。演出制御基板３３とこれに接続した演出ＲＯＭ基板３２では、主制御基板３０からの制御信号に基づき、表示ユニット１７０の液晶表示パネルで特図の変動表示ゲームを表示する処理や、音の出力、ランプの点滅などの盤装飾、枠装飾を制御する処理を行う。そして、主制御基板３０のＣＰＵは、特図の変動表示ゲームが大当たりであった場合に、特別遊技状態を発生し、特別変動入賞装置６を動作する制御を行う。
【００４７】
また、主制御基板３０のＣＰＵは、普図始動ゲートに設けられたゲートセンサからの遊技球の検出信号の入力に基づき、上述と同様に普図の変動表示ゲームの当たり外れを判定するとともに演出ＲＯＭ基板３２を介して演出制御基板３３に制御信号を出力し、普図変動表示器に普図変動表示ゲームを表示させる。そして、主制御基板３０のＣＰＵは、普図の変動表示ゲームが当たりであった場合に、普通変動入賞装置を動作する制御を行う。
【００４８】
また、主制御基板３０のＣＰＵは、各種入賞口に設けられたセンサから入力される遊技球の検出信号に基づき排出制御基板３４に制御信号を出力する。排出制御基板３４は、制御信号の入力に基づき排出装置２００を制御して所定数の遊技球が払い出されるようにする。
また、主制御基板３０のＣＰＵは所定の入力信号に基づき、排出制御基板３４を介して発射制御基板に制御信号を出力する。発射制御基板は、制御信号の入力に基づき発射装置を制御して遊技球が遊技領域に発射されるようにする。
すなわち、以上のことから主制御回路をなす主制御基板３０は、遊技の進行を制御する遊技制御装置をなし、第１制御回路をなす演出ＲＯＭ基板３２と第２制御回路をなす演出制御基板３３とが遊技機１００における種々の演出を制御する演出制御装置をなす。
【００４９】
そして、これらの各基板は以下のように遊技機に取り付けられている。
図２に示すように、画像表示面１７１における表示データなど、機種に依存するデータが記憶された第１制御回路としての演出ＲＯＭ基板３２は、ボックス３２ａに収納された状態で、遊技盤１の裏面側であって後述する裏機構枠１６０の下部からその下側に取り付けられ、さらにその後側に遊技を制御する主制御回路としての主制御基板３０がボックス３０ａに収納された状態で取り付けられている。そして、複数の機種で共通使用可能な第２制御回路としての演出制御基板３３は、ボックス３３ａに収納された状態で前面枠本体１３０の裏面側に取り付けられた後述の裏機構枠１６０に取り付けられている。また、排出装置２００による賞球の払い出しを制御する排出制御回路としての排出制御基板３４、遊技機１００内の各装置に電力を供給する電源回路としての電源基板３７は、それぞれボックス３４ａ、３７ａに収納された状態で、前面枠本体１３０の裏面側の遊技盤１より下側となる位置に取り付けられている。なお、発射制御基板も前面枠本体１３０に取り付けられている。
【００５０】
すなわち、機種に依存する演出ＲＯＭ基板３２、主制御基板３０は遊技盤１に取り付けられ、複数の機種で共通使用可能な演出制御基板３３や排出制御基板３４、発射制御基板、電源基板３７は前面枠本体１３０もしくは裏機構枠１６０を介して前面枠本体１３０に取り付けられている。よって、遊技盤１を変更することにより機種に依存する基板のみが交換され、遊技機１００の遊技内容を変更することが可能である。
【００５１】
裏機構枠１６０は、本体部１６１と、画像を表示する液晶表示パネルを備える表示ユニット１７０を支持、案内するための案内部１６２とを有し、表示ユニット１７０の他、表示ユニット１７０を制御する演出制御基板３３、賞球などを排出する排出装置２００、排出装置２００に遊技球を供給する貯留タンク２２０やシュート２４０が取り付けられている。なお、排出装置２００と貯留タンク２２０とは遊技機１００におけるタンク排出装置２３０を構成する。
【００５２】
また、本発明にかかるタンク排出装置２３０の貯留タンク２２０と排出装置２００とは、互いに接合された状態に一体的に形成されているが、貯留タンク２２０に対して排出装置２００が後述するように移動自在に取り付けられている。なお、後述するように貯留タンク２２０と排出装置２００とは共有部分があり、貯留タンク２２０に対して移動自在に取り付けられる排出装置２００には、貯留タンク２２０の排出装置２００と共有する一部の構成が含まれた状態となっている。
【００５３】
また、貯留タンク２２０に対して移動自在な排出装置２００は、貯留タンク２２０に対して一体的に接合した状態として、貯留タンク２２０から排出装置２００に貯留された遊技球を流入させることが可能な流入状態と、貯留タンク２２０から排出装置２００を離れるように移動させて、貯留タンク２２０の後述の底壁２２ａと、排出装置２００の後述の誘導部２２ｇとの間に球抜き開口部５３１（図９，１０に図示）を開放し、貯留タンク２２０内の遊技球の球抜き（賞球としてではなく貯留タンク２２０を空にするための遊技球の排出）が可能な球抜き状態との間を移動するようになっている。
【００５４】
すなわち、この実施形態の遊技機は、外部から供給される遊技球を貯留する貯留タンク２２０と、該貯留タンク２２０の底壁２２ａの傾斜下流側に位置し該貯留タンク２２０と一体的に設けられ該貯留タンク２２０に貯留されている遊技球を所定数ずつ排出可能な排出装置２００と、を備えたタンク排出装置２３０を有するものである。なお、後述のように、底壁２２ａは、貯留タンク２２０内の遊技球を排出装置２００に誘導するように、遊技機１００本体の左右方向にほぼ沿って排出装置２００に向かって下り傾斜している。
また、貯留タンク２２０を遊技機１００本体に取り付け、該貯留タンク２２０に対して前記排出装置２００を前記底壁２２ａの傾斜下流側に移動可能にすることで、貯留タンク２２０から排出装置２００に遊技球が流入可能な流入状態から、貯留タンク２２０の底壁２２ａの下流端部と排出装置２００との間に球抜き開口部５３１を形成する球抜き状態へ変換可能に構成されている。
【００５５】
上述したように、裏機構枠１６０の前から見て左側の端部は、前面枠本体１３０の裏面であって遊技機１００の裏面側から見て右側の側部に設けられた取付部材に回動可能に軸支されており、前面枠本体１３０に形成されて遊技盤１が嵌め込まれる開口部の上側略半分を裏面側から覆って遊技盤１の裏面に臨む状態から、後方に扉状に回動して遊技盤１の裏面側を開放する状態との間で回動可能となっている。
【００５６】
本体部１６１には、裏機構枠１６０が遊技盤１の裏面に臨む状態において、前面側（遊技盤１の裏面に臨む側）に開口する矩形箱状の凹部である表示ユニット配設部１６３が形成されている。
表示ユニット配設部１６３は、案内部１６２とともに表示ユニット１７０を収納する表示ユニット収納部１６８を形成するものである。
また、矩形箱状の凹部である表示ユニット配設部１６３の上下左右の周面を形成する周囲壁１６７のうち下側の周囲壁１６７は、角部に連続する一部を残して切り取られた状態となっている。
また、左右の周囲壁１６７の前側には、それぞれ案内部１６２が、左右の周囲壁１６７を前側に延長するように取り付けられている。なお、裏機構枠１６０の左右の周囲壁１６７のうちの前面枠本体１３０に回動自在に軸支される側となる遊技機の前側から見て左側の周囲壁１６７には、後述するようにシュート２４０が取り付けられている。
【００５７】
また、同じく前面枠本体１３０に軸支される側となる左側の案内部１６２が前面枠本体１３０に回動自在に取り付けられて、裏機構枠１６０の開閉を可能としている。
そして、左右の案内部１６２の互いに対向する内側面に対して、表示ユニット１７０の左右側縁部にそれぞれ上下一対ずつ設けられた被案内部が前後方向に案内され、表示ユニット１７０が前後に移動自在とされている。また、表示ユニット１７０は、図示しないバネ等の付勢手段により前側に付勢されている。
【００５８】
これにより、例えば、前面枠本体１３０を取り替えることなく、遊技盤１だけを変更することで、遊戯内容を変更した際に、交換後の遊技盤１において、表示ユニット１７０により表示される映像を遊技機１００の前方側から視認可能とする表示用窓部１２を有する前面構成部材１１の後端の位置が前後どちらかに変わっても、それに対応して表示ユニット１７０の位置を前後にずらして対応することができる。
【００５９】
さらに、表示ユニット１７０内に配置される図示しない液晶表示パネル（液晶ディスプレイ）は、表示ユニット１７０内で、表示画面の面方向にそって左右上下に移動自在となっている。
そして、液晶表示パネルには、表示ユニット１７０の上側縁部及び左右の側縁部のうちの一方の側縁部から外方に突出する２つの被位置調整部材１７ｂ，１７ｃが設けられ、遊技盤の前面構成部材１１の上方と、左右の側方のうちの一方とに位置調整部材１３７，１３８が設けられ、位置調整部材１３７，１３８により被位置調整部材１７ｂ，１７ｃの位置が調整されることで、表示用窓部１２に対して、液晶表示パネルの画像表示面１７１を位置合わせできるようになっている。
【００６０】
そして、図３に示すように、裏機構枠１６０の本体部１６１の上壁１６ａには、貯留タンク２２０の後述する底壁２２ａの傾斜に対応して、遊技機１００前面から見て右から左に下り傾斜する傾斜固定板１６ｂが形成されている。貯留タンク２２０は、図１，２に示すように傾斜固定板１６ｂ上に載せられた状態で固定される。
また、本体部１６１の右端部上面及び右側の案内部１６２の上面は、ほぼ同じ高さ位置の平面とされるとともに、本体部１６１の右端部より左側に形成される前記傾斜固定板１６ｂより高く形成され、傾斜固定板１６ｂの右側に第１段差部１６ｄが形成されている。
【００６１】
この第１段差部１６ｄの段差面には、傾斜固定板１６ｂの上面から上端部までの間に図示しない規制凹部が形成され、規制凹部の上側、すなわち、段差面の上側縁部が庇状に突出した状態とされている。第１段差部１６ｄの段差面の庇状に突出した上側縁部が貯留タンク２２０の右側面に当接して、貯留タンク２２０を位置決めするとともに、貯留タンク２２０の右側面の下部から右側に突出する規制突出部２２２（図４等に図示）が前記固定用凹部に挿入されるようになっており、これにより貯留タンク２２０の上方側への移動を規制するようになっている。
【００６２】
また、裏機構枠１６０の本体部１６１の背面側の上部は、図１に示すように、第１段差部１６ｄの下段側となる傾斜固定板１６ｂよりも更に低く切欠かれた形状となっており、傾斜固定板１６ｂの後方側が一段低くなるように形成され、これにより第２段差部１６ｆが形成されている。この第２段差部１６ｆの段差面に貯留タンク２２０の背面側の下部に形成された取付板２２１が固定されることで、貯留タンク２２０が裏機構枠１６０の本体部１６１に固定されるようになっている。
【００６３】
また、本体部１６１の左端部の上部には、上述の第２段差部１６ｆの下段側より更に低くなった平面状の排出受け部１６ｈが形成されており、貯留タンク２２０の左側に設けられた排出装置２００の下部（後述の回転体収容部２０３）及び後述の第１球抜き流路５０１が排出受け部１６ｈの上に配置されるようになっている。
すなわち、排出受け部１６ｈには、排出装置２００の回転体収容部２０３の下端部に設けられた排出用導出部２０ａと、回転体収容部２０３の貯留タンク側に隣設された後述の第1球抜き流路５０１とが下方に向かって遊技球を流下可能に配置されている。
【００６４】
また、排出受け部１６ｈ上は、貯留タンク２２０から離れる方向に移動可能な排出装置２００及び第１球抜き流路５０１の移動空間となっている。
そして、排出受け部１６ｈには、図３に示すように、貯留タンク２２０内の遊技球を前面枠本体１３０第２球抜き流路５０２の流入口５０３と、第１球抜き流路５０１の下端部に対応して突出する円弧状の上方延出壁５０４と、排出装置２００の導出口（排出用導出部２０ａ）から排出される遊技球が流入する排出流路２４８の球流入口２４８ａと、後述のように排出装置２００の下端部から下方に延出された移動支持部５１１を介して排出装置２００の移動をガイドするガイド部５０５とを有する。
【００６５】
前記第２球抜き流路５０２の流入口５０３は、左右の側縁がそれぞれ円弧状にされ、前後の側縁が直線状にされている。これは、第１球抜き流路５０１の形状に合わせたものである。また、第１球抜き流路５０１の形状は、後述するように貯留タンク２２０と排出装置２００とが分割された部分が円弧状となっていることにより、それに対応した形状となっている。また、第２球抜き流路５０２の流入口５０３の位置は、排出流路２４８の球流入口２４８ａに近接する位置で、裏機構枠１６０の排出受け部１６ｈが設けられた左右端部のうちの一方の端部において、球流入口２４８ａより僅かに左右方向の中央側の位置となっている。
【００６６】
上方延出壁５０４は、後述のように第１球抜き流路５０１の下端部を第２球抜き流路５０２の流入口５０３上に移動する際に第１球抜き流路５０１を斜めとすることで、流入口５０３の左右の側縁のうちの排出装置２００側の側縁（図中左側の側縁）と、第１球抜き流路５０１の下端の左側側縁との間に、遊技球が流出可能な間隔があくので、この間隔を閉塞するように設けられたものである。そして、上方延出壁５０４の形状は、第１球抜き流路５０１の下端の左側側縁の形状に対応して円弧状とされている。
【００６７】
また、排出流路２４８の球流入口２４８ａは、上述のように第２球抜き流路５０２の流入口５０３より端側に設けられるとともに、貯留タンク２２０に対して離れるように移動可能な排出装置２００を貯留タンク２２０から離すことなく接合した状態（流入状態）とした場合に、排出装置２００の回転体収容部２０３の底部２１６に設けられた排出導出部２０ａと近接した状態となり、円滑かつ遊技球を漏出することなく、排出装置２００から排出流路２４８に流下可能となっている。
【００６８】
ガイド部５０５は、排出流路２４８の球流入口２４８ａの前後に設けられ、裏機構枠１６０の端側から傾斜上水平部５０５ａ、傾斜部５０５ｂ、傾斜下水平部５０５ｃとなっている。そして、排出装置２００の下方に突出する移動支持部５１１は、排出装置２００が貯留タンク２２０に接合された状態で傾斜下水平部５０５ｃに接触した状態となっており、排出装置２００を貯留タンク２００から離すように移動すると、移動支持部５１１は、傾斜下水平部５０５ｃから傾斜部５０５ｂに移動し、排出装置２００が貯留タンク２２０から離れるほど、傾斜部５０５ｂの上の傾斜下水平部５０５ｃから傾斜上水平部５０５ａに向かって上に向かう斜面に沿って移動支持部５１１が上に向かうようになっている。尚、この際には、後述のように排出装置２００が貯留タンク２２０から離れるとともに、傾斜部５０５ｂの傾斜に対応して排出装置２００が斜めに傾くようになっている。
【００６９】
また、傾斜上水平部５０５ｃには、傾斜部５０５ｂ側の側縁、すなわち、傾斜部５０５ｂとの境界部分にガイド部５０５上を移動する移動支持部５１１と係合する係合部５０５ｄが設けられている。係合部５０５ｄは、上述の傾斜部５０５ｂの側縁に沿って上方に突出するように形成された突条である。
また、係合部５０５ｄは、傾斜部５０５ｂ側の側面が傾斜部５０５ｂから連続する傾斜面となっており、ガイド部５０５に下端部を接触させて排出装置２００とともに移動する移動支持部５１１が容易に係合部５０５ｄを超えるようになっている。また、係合部５０５ｄの傾斜上水平部５０５ｃ側の側面は、ほぼ鉛直な側面となっており、移動支持部５１１の下端部を係合（係止）できるようになっている。
【００７０】
従って、貯留タンク２２０から排出装置２００を引き離すように手で移動する際に、移動支持部５１１の下端部がガイド部５０５に沿って傾斜部５０５ｂを超え、さらに係合部５０５ｄを超えると、係合部５０５ｄに移動支持部５１１の下端部を係合することが可能となり、係合部５０５ｄに移動支持部５１１の下端部を係合させれば、手を離しても排出装置２００が自重で移動支持部５１１が傾斜部５０５ｂを下るように移動してしまうことがなく、排出装置２００を貯留タンク２２０から離した状態に保持できるようになっている。
【００７１】
すなわち、排出装置２００に流入状態と球抜き状態との移動を支持する移動支持部５１１が設けられ、遊技機１００本体の一部としての裏機構枠１６０に、移動支持部５１１をガイドするガイド部５０５が設けられ、ガイド部５０５に、排出装置２００が球抜き状態で移動支持部５１１と係合する係合部５０５ｄが設けられている。
【００７２】
また、図８等に示すように、排出流路２４８は、球流入口２４８ａから下側が裏機構枠１６０のさらに端側に向かうように斜めに形成され、上述のシュート２４０部分にいたるようなっている。同様に、第２球抜き流路５０２は、流入口５０３から下側が裏機構枠１６０のさらに端側に向かうように斜めに形成され、上述のシュート２４０部分にいたるようになっている。図１において、裏機構枠１６０の側部（裏機構枠１６０の前面枠本体１３０に軸支される側の端部）に形成されたシュート２４０の内部に裏機構枠１６０の上端部から下端に向かって、排出流路２４８及び第２球抜き流路５０２が内蔵された状態となっている。すなわち、シュート２４０は、排出流路２４８及び第２球抜き流路５０２を内蔵する部分である。
【００７３】
従って、排出流路２４８及び第２球抜き流路５０２の配置位置は、前面枠本体１３０の機枠１１０に回動自在に軸支される側の側部で、例えば、前面枠本体１３０の遊技盤１が収納された部分よりも外側となる位置に配置される。従って、排出流路２４８、第２球抜き流路５０２は、遊技盤１の裏面側に膨出して設けられる各種部材、特に一般的には、遊技盤１の裏面側に設けられる変動表示装置の収納空間の大きさにほとんど影響を与えることがない。この実施例では、排出流路２４８、第２球抜き流路５０２が裏機構枠１６０の前面側の変動表示装置のディスプレイとなる表示ユニット１７０の収納空間に影響を当ることなく、前記収納空間を十分に確保することができる。
【００７４】
また、裏機構枠１６０に配置されたシュート２４０の下側には、排出流路２４８を流下した遊技球を受けて上皿に誘導する図示しない流路と、第２球抜き流路５０２を流下した遊技球を受けて球抜きされた遊技球の回収位置に誘導する図示しない流路とが前面枠本体側に形成されている。
【００７５】
以上のような構成から、排出装置２００を移動可能でかつ一体的に設けた貯留タンク２２０は、遊技盤１を着脱可能に装着する前面枠本体１３０（本体枠）の裏面側上方部に配設され、前面枠本体１３０の裏面側には、遊技盤１の所要領域において表示ゲームを実行する表示ユニット１７０を当該前面枠本体１３０側に支持する支持手段としての裏機構枠１６０を設けた構成となっている。これにより、表示ユニット１７０を遊技盤１ではなく前面枠本体１３０側に配設したので、遊技盤１を新規なものに交換する際にも表示ユニット１７０を共通的に使用することが可能となる。しかも、排出装置２００は貯留タンク２２０に一体的に備えられ前面枠本体１３０の上方に配設されるので、表示ユニット１７０およびそれを支持する裏機構枠１６０の配置スペース的な問題を解消することができる。なお、この例では、裏機構枠１６０の前面側で表示ユニット１７０を支持し、遊技盤１の上端部とほぼ同じ高さ位置から上方となる裏機構枠１６０の上部に排出装置２００を一体的に設けた貯留タンク２２０が配置される。
【００７６】
そして、裏機構枠１６０の一側部側、すなわち、表示ユニット１７０の側方に排出装置２００から排出された遊技球を下方に流下させるシュート２４０（排出流路２４８、第２球抜き流路５０２）が配置される。しかし、シュート２４０は、遊技球を流下させるだけの構造で例えば左右方向の幅を遊技球の直径より僅かに広い程度に構成することができ、遊技機１００の裏面側においてシュート２４０が表示ユニット１７０の側方に有っても、僅かな左右幅しか占有せず、表示ユニット１７０として、遊技盤１の左右幅に対応するような広いものを使用することが可能となる。
【００７７】
次に、本発明にかかる遊技球排出機構の貯留タンク２２０及び排出装置２００について説明する。
図１、２に示すように、貯留タンク２２０及びこの貯留タンク２２０に対して移動自在に取り付けられた排出装置２００は、一体的に組み立てられた状態で、裏機構枠１６０の上部に取り付けられるようになっている。
すなわち、遊技機１００の遊技球排出機構は、上面が開口する平面略長方形の箱形に形成され、外部（島設備の補給装置）から供給される遊技球を貯留する貯留タンク２２０と、該貯留タンク２２０の底壁２２ａの傾斜下流側に位置し該貯留タンク２２０と一体的に設けられ該貯留タンク２２０に貯留されている遊技球を所定数ずつ排出可能な排出装置２００とを備える。
【００７８】
一体的に組み立てられた貯留タンク２２０及び排出装置２００の裏機構枠１６０への取り付けは、貯留タンク２２０の背面側に沿って貯留タンク２２０の下端面から下方に突出した状態で左右に延在する取付板２２１（図１，６，７に図示）と、前から見て貯留タンク２２０の右端の下端部から右に突出する規制突出部２２２（図６〜８に図示）とによって行われる。
上述のように排出装置２００と一体にされた貯留タンク２２０を裏機構枠１６０の
上壁１６ａの傾斜固定板１６ｂ上に貯留タンク２２０の底面を沿わせた状態とする。
さらに、規制突出部２２２を傾斜固定板１６ｂの上面に沿わせた状態で、上述の第１段差部１６ｄの段差面に形成された規制凹部内に挿入した状態とする。
【００７９】
また、上述の第２段差部１６ｆの段差面に取付板２２１の前面を当接させ、取付板２２１を裏機構枠１６０の本体部１６１側となる段差面にビス等により固定する。これにより、排出装置２００と一体的に接合された貯留タンク２２０が裏機構枠１６０に位置決めされて固定される。
【００８０】
そして、図５〜１０に示すように、裏機構枠１６０を介して遊技機１００の前面枠本体１３０に固定される貯留タンク２２０に対して排出装置２００が遊技機１００本体の左右方向に移動自在に取り付けられている。
【００８１】
なお、貯留タンク２２０と排出装置２００は、基本的に一体的なもので、必ずしもこれらの境界が明確なものとなっておらず、貯留タンク２２０に対して移動自在な部分には、排出装置２００以外（遊技球を排出する機能以外）に貯留タンク２２０の一部の構成（排出装置２００に遊技球を供給するために遊技球を貯留する機能の一部）が含まれるが、ここでは、名称として、固定的に裏機構枠１６０に固定される部分を貯留タンク２２０とし、貯留タンク２２０に対して移動自在な部分を排出装置２００とする。
【００８２】
以上のように、タンク排出装置２３０は、貯留タンク２２０と、排出装置２００とからなる。
貯留タンク２２０は、上方が開放された遊技機１００の左右方向に長い箱状に合成樹脂が一体成型されたもので、貯留タンク２２０の長手方向の一端部側（遊技機１００の前から見て左端部側）に排出装置２００が取り付けられるものである。なお、貯留タンク２２０は、上面が開放された箱状であるが、排出装置２００が取り付けられる左端部側も開放された状態となっており、排出装置が取り付けられることで、左端部が閉塞された状態となるようになっている。
【００８３】
また、貯留タンク２２０の左端部側は、後述するように堰壁２０７が取り付けられることにより、遊技球を貯留可能部分の上部は、貯留タンク２２０の左端までとなるが、貯留タンク２２０の右端の上下半分より僅かに下から貯留タンク２２０の後述の底壁２２ａまでの部分においては、遊技球を貯留可能な部分が排出装置２００側に延出した状態となっており、排出装置２００の後述の駆動源取付部材２０６の下側から後述のスプロケット２１０及び後述の誘導部２２ｇの上までの部分が貯留タンク２２０と連続して遊技球を貯留可能な部分となっている。従って、実際の遊技球を貯留するタンクとして機能する部分は、貯留タンク２２０と排出装置２００の回転体としてのスプロケット２１０上の部分とに分けられた状態となっている。
【００８４】
排出装置２００は、図４等に示すように、筐体部４１０と、排出装置２００の駆動源となるステッピングモータ２０４と、ステッピングモータ２０４を排出装置２００の筐体部４１０に取り付けるための駆動源取付部材２０６と、駆動源取付部材２０６に設けられ、貯留タンク２２０の上部側からの排出装置２００側への遊技球の流入を堰き止める堰壁２０７と、堰壁２０７の左右側縁部（遊技機１００の前後方向の前後の側縁部）に設けられて貯留タンク２２０に取り付けられるタンク取付部材４０２と、貯留タンク２２０内の遊技球を受け入れて排出用導出部２０ａに移動させるための複数（例えば、１０個程度）の球受部２０８，…を備えた回転体としてのスプロケット２１０と、スプロケット２１０の中央部の上に配置される回転体上部材２１４と、排出装置２００内（回転体収容部２０３内）の遊技球を下側から支持する略円板状の底部２１６と、筐体部４１０の下端部に固定されて底部２１６を支持するとともに、排出される遊技球を検出する排出球の検出センサ２１７を支持する底部材２１８と、貯留タンク２２０の排出装置２００側部分に底壁２２ａ（導入部２０２）から積み重なる遊技球の高さを制限する高さ制限部材２６０とを有する。
また、筐体部４１０は、回転体収容部２０３を有し、回転体収容部２０３は、筒体部２０１と、底部２１６と、底部材２１８とから構成される。すなわち、排出装置２００は、導入部２０２の下方にスプロケット２１０を収容する回転体収容部を設けている。
【００８５】
図５〜１７に示すように、貯留タンク２２０は、左右に延在する貯留タンク２２０の底を構成するとともに、左右方向の他方の端部側から排出装置２００が設けられる一方の端部側に向かって下り傾斜する左右に長い概略矩形状の底壁２２ａと、この底壁２２ａの前から見て右側縁から略垂直に立設される右側壁２２ｂと、底壁２２ａの前縁部から略垂直に立設される前壁２２ｃと、底壁２２ａの後縁部から略垂直に立設される後壁２２ｄとを有する。なお、貯留タンク２２０の排出装置２００側の側壁となる部分は、排出装置２００に設けられている。すなわち、この側壁となる部分として、排出装置２００の左端部側に略垂直（鉛直）に円弧板状の左側壁２２ｅが設けられている。
【００８６】
前記底壁２２ａは、図１６に示すように、前から見て右から左（図中左から右）に向かって下り傾斜して配置されているとともに、さらに、図１７（Ｂ）（Ｃ）に示すように、後から前側に向けて下り傾斜している。なお、底壁２２ａの右から左への傾斜は、底壁２２ａ上面に、他方の端部から排出装置２００が設けられた一方の端部側に、貯留タンク２２０に貯留された遊技球を流動させるための傾斜部２２ｈを形成するためのものである。これにより、底壁２２ａ上の傾斜部２２ｈでは、その右から左への傾斜により底壁２２ａの遊技球複数個（例えば遊技球の直径の５倍から１０倍程度）分となる前後の幅内で、排出装置２００に向かって遊技球が複数条で流下可能となっている。なお、傾斜部２２ｈは、遊技球が上下に積み重なる貯留タンク２２０の底部なので、遊技球は必ずしも直線的に流下するわけではなく、不規則に流下する。すなわち、貯留タンク２２０の底壁２２ａは遊技機１００の左右方向一側に下り傾斜し、遊技球が複数幅で不規則に流下する傾斜部２２ｈが形成されている。
【００８７】
また、底壁２２ａの後から前側へ向けての下り傾斜は、スプロケット２１０の順方向の回転方向に沿ったものとなっている。なお、底壁２２ａの傾斜は、長辺方向（右から左への下り傾斜）及び短辺方向（後から前への下り傾斜）とも、基本的に排出装置２００が設けられる左端部の後述の円環状の誘導部２２ｇの手前（右側）までとされており、排出装置２００側となる円環状の誘導部２２ｇでは、その外周側から中心側に向かって下り傾斜するようになっている。また、貯留タンク２２０の底壁２２ａは、円環状の誘導部２２ｇとの境界部分で、貯留タンク２２０側と排出装置２００側とに分割された状態となっており、底壁２２ａの排出装置２００側端部は、図５に示すように円環状の誘導部２２ｇの外周縁に沿って略半円状（円弧状）となっている。
【００８８】
そして、誘導部２２ｇの内側に後述のようにスプロケット２１０が配置されるが、該スプロケット２１０の順方向の回転方向は、時計回り（右回り）となっており、スプロケット２１０の右側となる底壁２２ａの傾斜部２２ｈでは、スプロケット２１０の回転方向は、後側から前側となる。従って、底壁２２ａを後から前側に向かって下り傾斜させることにより、図１５に示すように、遊技球をスプロケット２１０の回転方向に誘導する状態となる。
すなわち、貯留タンク２２０の底壁２２ａには、遊技機１００の左右方向一側に下り傾斜する傾斜部２２ｈと、該傾斜部２２ｈの傾斜下流側に誘導部２２ｇとが形成され、傾斜部２２ｈは、スプロケット２１０の回転方向に対応して、遊技機１００の前後方向一側に下り傾斜している。なお、右から左に傾斜する傾斜部２２ｈ全体が後から前に下り傾斜している必要はなく、傾斜部２２ｈの左側（排出装置２００側）だけが後から前に下り傾斜するものとしても良い。
【００８９】
また、図１１，１２及び図１７（Ｃ）に示すように、底壁２２ａには、その傾斜部２２ｈの前から見て左側端部に、後側が高く前側が低い誘導段部２２ｉが形成されている。なお、誘導段部２２ｉは、左側（排出装置２００側）に向かうに連れて、前側に向かうように斜めに形成され、誘導段部２２ｉの段差は、底壁２２ａの後縁部の左右の略中央部から、円環状の誘導部２２ｇの円環の略中心に向かった線分にそって形成されている。
すなわち、傾斜部２２ｈに、前記スプロケット２１０の回転方向に対応して、前記誘導部２２ｇへ流下する遊技球を、遊技機１００の前後方向の一方側に誘導する誘導段部２２ｉを設けている。なお、誘導段部２２ｉも貯留タンク２２０内の遊技球の流れをスプロケット２１０の順方向の回転に沿わすように誘導するためのものである。
【００９０】
底壁２２ａの排出装置２００側の側縁部の下面には、後述のように、球抜き開口部５３１から第１球抜き流路５０１へ遊技球を導入する際に、図５，８，９に示すように、遊技球の漏れを防止するための下方延出壁５４１が設けられている。下方延出壁５４１は、底壁２２ａの前記側縁部の形状に対応して底壁２２ａの略全幅に渡って円弧状に形成されるとともに、下方に延出して形成されている。
【００９１】
貯留タンク２２０の前記右側壁２２ｂの前縁側に前壁２２ｃが接合され、後縁側に後壁２２ｄが接合されて前後と右側を囲んだ状態とするとともに、その下を底壁２２ａが閉塞した状態となっている。そして、右側壁２２ｂ、前壁２２ｃ、後壁２２ｄの上側縁は、ほぼ水平な平面内に面一に配置されるようになっている。従って、前壁２２ｃ及び後壁２２ｄは、その上縁が水平とされ、下縁が底壁２２ａと同様に傾斜した状態となっている。貯留タンク２２０は、他方の端部から排出装置２００側の一方の端部に向かうに連れて深さが深くなるように構成されている。
【００９２】
そして、図５〜７に示すように、前壁２２ｃと後壁２２ｄとの排出装置２００側端部には、上下二カ所に略水平に上下のガイドリブ５２１，５２２が形成されている。この上下のガイドリブ５２１，５２２は、排出装置２００のタンク取付部材４０２に設けられた被ガイド支持板４２１の上下に配置されて、排出装置２００の移動を補助するように案内するとともに、上述の流入状態として貯留タンク２２０に排出装置２００が接合した状態で、貯留タンク２２０に対する排出装置２００の固定を補助するものである。
【００９３】
前記被ガイド支持板４２１は、前記堰壁２０７の左右（遊技機本体の前後方向の前後）に形成されたタンク取付部材４０２から貯留タンク２２０（貯留タンク２２０の遊技機本体の左右方向における排出装置２００の反対側となる端部）に向かう方向に延出する板状の部材で、左右に長い略矩形状の部材であるが、先端部が円弧状に形成されている。
【００９４】
また、そして、上下のガイドリブ５２１，５２２同士の間隔は、被ガイド支持板４２１の上下幅と略同じ（僅かに広い）ものとなっており、上下のガイドリブ５２１，５２２の間で被ガイド支持板４２１が左右に移動自在となっている。なお、被ガイド支持板４２１は、排出装置２００と一体に移動することになる。
【００９５】
また、図６に示すように、下のガイドリブ５２２は、その排出装置２００の反対側となる端部が排出装置２００が流入状態のときの被ガイド支持板４２１の先端部と同じ位置とされ、その排出装置２００側の端部が排出装置２００が球抜き状態のときの被ガイド支持板４２１の先端部と同じ位置とされている。すなわち、下のガイドリブ５２２は、排出装置２００の流入状態から球抜き状態までの全移動範囲に渡って、被ガイド支持板４２１の移動を支持するともにガイドし、被ガイド支持板４２１が下のガイドリブ５２２より下側となるのを規制している。
【００９６】
一方、上のガイドリブ５２１は、その排出装置２００の反対側となる端部が、下のガイドリブ５２２と同様に、排出装置２００が流入状態のときの被ガイド支持板４２１の先端部と同じ位置とされている。また、上のガイドリブ５２１は、下のガイドリブ５２２より短く、排出装置２００側の端部は、下のガイドリブ５２２より手前となっている。
従って、貯留タンク２２０から排出装置２００を離す方向に移動した場合に、図７に示すように、貯留タンク２２０から排出装置２００を僅かに離した状態では、上のガイドリブ５２１が被ガイド支持板４２１をガイドし、被ガイド支持板４２１の上側への移動を規制することになるが、排出装置２００が流入状態から球抜き状態に移動し終わる前の、流入状態と球抜き状態との間の所定位置に至った際、すなわち、被ガイド支持板４２１の先端部が上のガイドリブ５２１の排出装置２００側端部に至った後に、上のガイドリブ５２１による被ガイド支持板４２１の上側への移動の規制が解除されることになる。
【００９７】
これにより、排出装置２００を上述の所定位置まで移動した後にさらに球抜き状態側へ移動させた際には、被ガイド支持板４２１の基端部側を上にするように被ガイド支持板４２１を傾けることが可能となる。この際には、被ガイド支持板４２１の円弧状の先端部が下のガイドリブ５２２に接触することになり、被ガイド支持板４２１の先端部の円弧により円滑に被ガイド支持板４２１を傾けることが可能となる。
なお、この際には、後述の被ガイド支持板４２１に形成されたスリット４２２と、貯留タンク側に設けられた支持ピン４０６とによっても被ガイド支持板４２１が水平移動と傾く移動とを可能としている。
【００９８】
また、被ガイド支持板４２１が上述のように傾いた際には、排出装置２００もその下端部が貯留タンク２２０から離れる側に傾くことになる。
また、上述のように排出装置２００の移動支持部５１１が上述のようにガイド部５０５により排出装置２００を傾斜部５０５ｂの傾斜に沿って上に移動するように案内することになる。これにより、上下のガイドリブ５２１，５２２による被ガイド支持板４２１の案内と、ガイド部５０５による移動支持部５１１の案内と、後述の被ガイド支持板４２１のスリット４２２と貯留タンク２２０の支持ピン４０６との案内とにより合成された排出装置２００の移動として、排出装置２００は、貯留タンク２２０から離れる方向に流入状態から球抜き状態に移動する際に、左右方向に移動しながら傾くように回転移動することになる。
【００９９】
図５に示すように、前壁２２ｃと後壁２２ｄとの排出装置２００側端部には、それぞれ上下２カ所に、ピン孔４０３、４０４が形成されている。上下のピン孔４０３，４０４は、互いに上下及び左右に間隔をあけて配置されている。また、上のピン孔４０３は、前壁２２ｃと後壁２２ｄとの排出装置２００側の端に近い位置に配置されるのに対して、下のピン孔４０４は上のピン孔４０３より前記端から少し遠い位置に配置される。そして、上のピン孔４０３には、容易に着脱自在な割りピンとしての係止ピン４０５（係止部材）が挿入されるものとなっている。
【０１００】
係止ピン４０５は、貯留タンク２２０に対して排出装置２００を流入状態で固定するためのものであり、貯留タンクの前壁２２ｃと後壁２２ｄのピン孔４０３に、排出装置２００のタンク取付部材４０２に設けられた後述のピン孔４１３を合わせて、これらピン孔４０３、４１３に係止ピン４０５を挿入することで、貯留タンク２２０に排出装置２００が固定される。なお、この際に排出装置２００を移動不可に固定しているのは係止ピン４０５だけとなるが、排出装置２００は、上述の上下のガイドリブ５２１，５２２間に被ガイド支持板４２１が挟まれた状態に配置されることと、被ガイド支持板４２１のスリット４２２に貯留タンク２２０の支持ピン４０６が挿入されていることとで支持されており、係止ピン４０５だけに排出装置２００の荷重等による負荷が集中することなく、十分な強度で排出装置２００が支持される。
【０１０１】
また、排出装置２００を流入状態から球抜き状態に移動するためには、係止ピン４０５を取り外す必要がある。なお、係止ピン４０５は、割りピンとなっており、例えば、ペンチもしくは専用治具等で、貯留タンク２２０の内側から割りピンの先端部を狭めるように挟んで外側に押すことで外すことができる。なお、係止ピン４０５の先端部は、高さ制限部材２６０より上に設けられ、後述のように高さ制限部材２６０により遊技球の流入が阻止され、貯留タンク２２０に遊技球が満杯に貯留されても、遊技球に隠されないようになっている。従って、貯留タンク２２０が満杯でも、係止ピン４０５を容易に外すことができる。
【０１０２】
また、下のピン孔４０４には、後述するように排出装置２００の流入状態と球抜き状態との間の移動をガイドすると共に、排出装置２００を移動自在に支持するための支持部材としての支持ピン４０６と止め輪４０７とが取り付けられるようになっている。支持ピン４０６は、下のピン孔４０４と被ガイド支持板４２１のスリット４２２とに挿入され、被ガイド支持板４２１（排出装置２００）をスリット４２２方向に沿って移動自在とするとともに、被ガイド支持板４２１（排出装置２００）を回転自在（傾斜可能）とする。
【０１０３】
また、上下のピン孔４０３，４０４は、高さ制限部材２６０より上に設けられている。すなわち、高さ制限部材２６０により遊技球の流入が規制された位置にピン孔４０３，４０４が設けられているので、ピン孔４０３，４０４に挿入される係止ピン４０５や支持ピン４０６や止め輪４０７が貯留タンク２２０において遊技球の流下に影響を与えることがない。また、係止ピン４０５が遊技球の接触により外れるようなことがない。
【０１０４】
排出装置２００の筐体部４１０は、上下に機能が分かれている。すなわち、図８等に示すように、筐体部４１０は、上側の貯留タンク２２０とともに遊技球を貯留する貯留部４１１と、下側のスプロケット２１０を収納する回転体収容部２０３とが一体に形成された状態となっている。
【０１０５】
貯留部４１１は、その外周壁となり、かつ、貯留タンク２２０とともに遊技球を貯留する空間の左側の壁を構成する左側壁２２ｅと、貯留タンク２２０とともに遊技球を貯留する空間の排出装置２００側の底壁を構成する誘導部２２ｇとからなっている。
なお、貯留部４１１は、その上端部が前壁２２ｃ及び後壁２２ｄの排出装置２００側端部の高さの１／２より僅かに低くなった高さ位置しかなく、後述するように高さ制限部材２６０により貯留タンク２２０の貯留部４１１より上にある遊技球を下側に誘導することで、貯留される遊技球の高さが貯留タンク２２０より低くされるようになっている。
【０１０６】
また、貯留部４１１上には後述するように略水平な駆動源取付部材２０６が配置されて、貯留部４１１の上面側が閉塞された状態となっている。
そして、左側壁２２ｅは、貯留タンク２２０に対して遊技機１００の前後方向に渡って配置されて、貯留タンク２２０の開放された排出装置２００側端部を閉塞するようになっている。
そして、左側壁２２ｅの前側端部は、貯留タンク２２０の前壁２２ｃとほぼ同じ前後位置に配置され、前壁２２ｃとほぼ連続して遊技機１００の左右方向に沿って配置されている。また、左側壁２２ｅの後側端部は、貯留タンク２２０の後壁２２ｄとほぼ同じ前後位置に配置され、後壁２２ｄとほぼ連続して遊技機１００の左右方向にそって配置されている。
【０１０７】
なお、貯留タンクの前壁２２ｃ及び後壁２２ｄの排出装置２００側の側縁（左端）と、左側壁２２ｅの前端及び後端の側縁とは切り離された状態となっている。そして、上述の流入状態では、前壁２２ｃ及び後壁２２ｄの前記側縁と、左側壁２２ｅの前端及び後端の側縁とはほぼ当接した状態となっているが、排出装置２００が流入状態から球抜き状態に移動した場合に離れる構成となる。
【０１０８】
しかし、後述のように、前壁２２ｃ及び後壁２２ｄの前記側縁と、左側壁２２ｅの前端及び後端との間は、これらが当接した状態（流入状態）でも離れた状態（球抜き状態）でも、その外側がタンク取付部材４０２に覆われた状態となっている。従って、前壁２２ｃ及び後壁２２ｄの前記側縁と、左側壁２２ｅの前端及び後端との間が離れても、これらの間から遊技球が外部に流出することはない。
【０１０９】
なお、前壁２２ｃ及び後壁２２ｄと、左側壁２２ｅとが離れた状態、すなわち、球抜き状態においては、図９，１０に示すように、貯留タンク２２０の底壁２２ａと、排出装置２００側で貯留タンク２２０の底の延長部分となる誘導部２２ｇとの間が離れて、球抜き開口部５３１が開放された状態となり、球抜き開口部５３１から遊技球が第１球抜き流路５０１に流出することになる。
【０１１０】
そして、左側壁２２ｅの前側端部と後側端部とは、貯留タンク２２０の反対側でほぼ半円状の左側壁２２ｅの本体により接続された状態となっており、この左側壁２２ｅに囲まれた部分が排出装置２００の貯留部４１１となっている。
この左側壁２２ｅの円弧板状の本体は、スプロケット２１０の回転中心を中心とする半円状（円弧状）に形成されるものである。
貯留部４１１の底部を構成する誘導部２２ｇは、内部に開口部２２ｆを有する円環状に形成されている。また、概略円筒状となる筒体部２０１の上端部の円筒状の部分が開口部２２ｆとほぼ同径とされ、誘導部２２ｇの下側において、全開口部２２ｆを囲むようにして誘導部２２ｇの内周縁部と一体に接続された状態となっている。
【０１１１】
また、誘導部２２ｇは、その外周部側の直径が、貯留タンク２２０の前壁２２ｃと後壁２２ｄとの間隔（例えば、傾斜部２２ｈの前後幅）とほぼ等しくされており、貯留タンク２２０内部の遊技機１００の前後方向に沿った全幅に渡って誘導部２２ｇが形成されている。
すなわち、傾斜部２２ｈの遊技機１００の前後方向の長さと、誘導部２２ｇの外周直径の長さをほぼ同じに構成している。なお、後述のように誘導部２２ｇも導入部２０２に含まれるものとした場合に、導入部２０２も貯留タンク２２０内部の遊技機１００の前後方向に沿った全幅に渡って形成されるものとなる。
【０１１２】
また、誘導部２２ｇの外周部の貯留タンク２２０の反対側となる半円部分の外周縁部には、上述の左側壁２２ｅの下端部が一体に接合された状態とされている。そして、誘導部２２ｇの貯留タンク２２０側の円弧状の半円部分の外周部分には、左側壁２２ｅが接続されておらず、後述するように底壁２２ａの排出装置２００側の円弧凹状の側縁部の下に配置されるようになっている。そして、誘導部２２ｇの貯留タンク２２０側の側縁部には、底壁２２ａの上述の側縁部と上下に重なる重複部が誘導部２２ｇの外周に沿って形成されている。
また、誘導部２２ｇの前記重複部の下側には、第１球抜き流路５０１の上端開口部の排出装置２００側の後述の円弧状の辺が接続された状態となっている。
【０１１３】
図１１に示すように、誘導部２２ｇは、上述のように外周部から中心に向かって下り傾斜するものとなっており、遊技球を開口部２２ｆ内に落下するように誘導するものである。なお、図１４に示すように、開口部２２ｆの下方には、スプロケット２１０が配置され、誘導部２２ｇの内周の近傍となる位置には、スプロケット２１０の外周部に周方向にそって並んだ状態で球受部２０８，…が形成されており、誘導部２２ｇが遊技球を開口部２２ｆ内の球受部２０８，…に誘導するものとなっている。また、誘導部２２ｇの内周側から後述の回転誘導部２１ｆとの円環状の間隔に上述の球受部２０８，…が配置されるようになっており、この間隔が球受部２０８，…に受け入れる遊技球が、貯留タンク２２０から排出装置２００内に導入される導入部２０２とされている。
【０１１４】
従って、誘導部２２ｇと傾斜部２２ｈとの関係から、傾斜部２２ｈの傾斜下流側に前記導入部２０２が形成されていることになる。
また、誘導部２２ｇの外周と内周との間の幅（外径と内径の差）は、遊技球の直径に対応したものとされ、例えば、遊技球の直径以上でかつ遊技球の直径の２倍以下とされている。また、誘導部２２ｇの中で最も高い位置となる外周部は、底壁２２ａの排出装置２００側に下り傾斜する傾斜部２２ｈの最も低い位置となる排出装置２００側端部よりも低くなっており、傾斜部２２ｈと誘導部２２ｇとの間に傾斜が急な段差が形成されている。
【０１１５】
上述のように、排出装置２００側の誘導部２２ｇと、貯留タンク２２０側の傾斜部２２ｈとは別体となっており、傾斜部２２ｈの傾斜下側の端部となる底壁２２ａの排出装置２００側の半円凹状の端部の下側に、誘導部２２ｇの貯留タンク２２０側の半円凸状の端部が配置された状態となっている。
そして、流入状態では、後述するように、底壁２２ａの排出装置２００側端部の下面に、誘導部２２ｇの貯留タンク２２０側の端部の上面が当接した状態となっている。
なお、底壁２２ａの排出装置２００側端部の下面には、底壁２２ａの排出装置２００側の半円凹状の端に沿って下方に僅かに突出するリブが形成されており、このリブの下端に誘導部２２ｇの貯留タンク側の外周縁部となる重複部の上面が当接するようになっている。
【０１１６】
また、誘導部２２ｇは、排出装置２００の一部として、排出装置２００とともに、貯留タンク２２０から離れる方向、すなわち、遊技機１００の左右方向に沿って移動自在となっており、排出装置２００を貯留タンク２２０から離す用に移動すると、貯留タンク２２０の底壁２２ａ（傾斜部２２ｈ）との間に球抜き開口部５３１が形成されるようになっている。
【０１１７】
また、排出装置２００は、球抜き状態において、その下端部が貯留タンク２２０から離れ、その上端部が貯留タンク２２０に近付くように傾けられることになるが、この際に誘導部２２ｇの貯留タンク２２０側部分で、貯留タンク２２０の長さ方向に沿った傾斜角度が小さくなるように変化することになり、排出装置２００が球抜き状態での所定角度まで小さくなると、誘導部２２ｇの貯留タンク２２０側部分の傾斜が誘導部２２ｇの内周から外周に向って下り傾斜した状態となっている。すなわち、流入状態での誘導部２２ｇの外周から内周に向かって下り傾斜する傾斜角度よりも、流入状態から球抜き状態に変化した際の排出装置２００の傾斜角度の方が大きくなっている。これにより、球抜き状態において誘導部２２ｇ上の遊技球を確実に球抜き開口部５３１側に流下させることができる。
【０１１８】
以上のことから、流入状態から球抜き状態への移動で排出装置２００を斜め上方に移動し、導入部２０２が球抜き開口部５３１に向けて下り傾斜するようにしている。
【０１１９】
筒体部２０１は、図１２，１７，１８等に示すように、誘導部２２ｇの前記開口部２２ｆと略同径の内周を有し、スプロケット２１０を収納する回転体収容部２０３本体（底部２１６、底部材２１８を除いた部分）となっている。筒体部２０１は、底壁２２ａに接続される筒体部２０１の上部である円筒状の第１筒体２１ａと、筒体部２０１の下部であり第１筒体２１ａより内径が遊技球１個分程度小さい第２筒体２１ｂと、これら第１筒体２１ａと第２筒体２１ｂとの間に配置され、第１筒体２１ａと第２筒体２１ｂとを接続した状態に配置される中間筒体２１ｃとを有するものである。
【０１２０】
第１筒体２１ａは、上下方向に渡って同径の円筒状に形成されている。第２筒体２１ｂは、上述のように第１筒体２１ａより小径で、上方方向に渡って同径の円筒状に形成されているが、図１８に示すように、排出用導出部２０ａを有する底部２１６に設けられた後述の導出凸部２１ｉに対応する部分に切欠部２１ｄが形成されている。中間筒体２１ｃは、上端部が第１筒体２１ａに連続して形成されるとともに第１筒体２１ａと同径とされ、下端部が第２筒体２１ｂに連続して形成されるとともに第２筒体２１ｂと同径とされ、上端から下端に向かって径が小さくなるように筒状でかつ円錐台状に形成されている。従って、中間筒体２１ｃの内周面は外側から内側に下り傾斜する傾斜面となっている。
【０１２１】
また、第２筒体２１ｂと中間筒体２１ｃとの境界部分で、かつ、底部２１６に形成される排出用導出部２０ａの上となる部分には、図１２，２１に示すように、筒体部２０１の中心側（スプロケット２１０の中心方向）に突出する内周に沿ったリブ２１ｅが形成されている。これは、球受部２０８，…に上下複数段に受け入れられた遊技球のうちの一番下の遊技球が排出用導出部２０ａから下方に導出された場合に、その上の遊技球まで一緒に導出してしまうのを前記リブ２１ｅにより防止するものである。すなわち、後述のようにスプロケット２１０の外周部と筒体部２０１の内周面との間の配置された遊技球は、遊びがあまり無いので、少し突出したリブ２１ｅにより下方に流下できない状態となる。
【０１２２】
回転体収容部２０３の側壁（筒体部２０１）における排出用導出部２０ａの上方側所要範囲に、前記球受部２０８，…における最下段よりも一段上段の遊技球が排出用導出部２０ａに流下することを防止する（遊技球を球受部２０８，…内に保持する）ためのリブ２１ｅをスプロケット２１０の中心方向に突設している。言い換えれば、前記回転体収容部２０３の側壁における前記排出用導出部２０ａの上方側に、前記球受部２０８，…における最下段よりも一段上段の遊技球を当該球受部２０８，…内に保持するためのリブを形成している。
【０１２３】
このような構成により、スプロケット２１０が回転した場合に、排出用導出部２０ａから遊技球が導出されるが、この際にその上の遊技球はリブ２１ｅにより下方への移動が規制されている。これにより、球受部２０８毎の複数個の遊技球を上下に保持可能となっていても、一番下の遊技球だけが排出用導出部２０ａから導出されることになり、スプロケット２１０が球受部２０８の１個分の角度（３６０／球受部の数）だけ回転する度に遊技球が一個宛排出用導出部２０ａから導出される。
【０１２４】
そして、球受部２０８，…が排出用導出部２０ａの部分を通過したところで、リブ２１ｅから離れ、球受部２０８，…内の下から二番目以降の遊技球が一段下方に移動し、一番下に遊技球が配置され、再び、排出用導出部２０ａまで移動した場合に遊技球を導出可能となる。また、球受部２０８，…の一番上の段に遊技球が無い状態となり、新たに遊技球を受け入れ可能な状態となる。
【０１２５】
以上のことから、排出装置２００は、回転軸２０ｚを中心に回転可能に構成されるとともに、貯留タンク２２０の遊技球が導入される導入部２０２から遊技球を受け入れる複数の球受部２０８…を有するスプロケット２１０を備え、該スプロケット２１０の回転に応じて、該球受部２０８…に遊技球を受け入れるとともに受け入れた遊技球を導出部２０ａに１個宛導出するように構成さている。
【０１２６】
また、貯留タンク２２０の下部の前側で排出装置２００側の手前側には、図４に示すように、半端センサ２２ｋ（破線で図示）が配置される。この半端センサ２２ｋは、基本的には、貯留タンク２２０内の遊技球の残量が１回に払い出される遊技球数のうちの最大数より少なくなった場合に、１回の排出数に満たない半端な数の遊技球が払い出されるのを防止するものである。また、半端センサ２２ｋは、貯留タンク２２０に遊技球が無いのに、排出装置２００が作動するのを防止すものである。そして、半端センサ２２ｋは遊技球を非接触で検出する近接センサなど、遊技球を検出するセンサで構成され、半端センサ２２ｋから遊技球を検出する信号が途絶えた場合（遊技球を検出していないことを示す信号が出力された場合）に、排出制御基板３４が、島設備側から遊技球が補給されて、半端センサ２２ｋから遊技球を検出していることを示す信号が入力するまで、遊技球の排出を停止する制御を行う。
【０１２７】
また、貯留タンク２２０への遊技球の補給の制御は、島設備に設けられた遊技球補給装置が行うようになっており、貯留タンク２２０に内の遊技球の貯留量を検出するセンサは、遊技球補給装置側に接続されて、例えば、遊技機１００を設置した際に、貯留タンク２２０に対応してセットされる。
【０１２８】
第１球抜き流路５０１は、図５〜１０に示すように、貯留タンク２２０の底壁２２ａに重なる誘導部２２ｇに接続された状態となっている。そして、第１球抜き流路５０１の開放された球抜き開口部５３１からの遊技球の流入口は、概略四辺形状となっている。すなわち、第１球抜き流路５０１は、球抜き状態となった貯留タンク２２０の底壁２２ａ及び排出装置２００の誘導部２２ｇに対応して、底壁２２ａの排出装置２００側の円弧状の側縁に対応した円弧状の貯留タンク２２０側の辺と、誘導部２２ｇの流入状態で底壁２２ａと重なる円弧状の部分に対応した排出装置２００側の辺と、これら辺の両端部間をそれぞれ繋ぐ互いに平行で遊技機１００の左右方向に沿った直線状の二辺から四辺形状となっている。
【０１２９】
また、第１球抜き流路５０１の流入口は、排出装置２００側の辺が誘導部２２ｇの円弧状の側縁の裏面に接合された状態となっており、貯留タンク２２０側の辺は、排出装置２００側の辺より低くされるとともに、底壁２２ａからも離れた状態とされており、排出装置２の移動を妨げないようになっている。また、排出装置２００側の辺と貯留タンク２２０側の辺とを繋ぐ二辺は、排出装置２００側の辺から貯留タンク２２０側の辺に向かって下り傾斜している。
【０１３０】
そして、第１球抜き流路５０１の排出装置２００側の辺から下方に延びる壁部分は円弧状のままほぼ垂直に下方に延びるように形成され、その長さが、誘導部２２ｇの下面から裏機構枠１６０の上面の一部である排出受け部１６ｈの僅かに上までとなっている。
また、貯留タンク２２０側の辺から下方に延びる壁部分は、円弧状のまま下方に延出して形成されるが垂直ではなく、排出装置２００側に近付く方向に僅かに傾斜している。
これにより、第１球抜き流路５０１は先に行くほど流路が僅かに狭まるように形成され、流路の中心を見た場合に、下に行くほど僅かに排出装置２００側に向かって傾斜した状態となっている。
【０１３１】
また、第１球抜き流路５０１の流入口の排出装置２００側の辺と貯留タンク２２０側の辺とを繋ぐ、二辺から下側に延びる壁部分は、略垂直に下側に延出している。また、第１球抜き流路５０１の下端部は、流入状態において略水平となっている。
そして、第１球抜き流路５０１は、図８に示すように、流入状態で、貯留タンク２２０の排出装置２００側端部の直下に配置されている。
【０１３２】
また、第１球抜き流路５０１は、図９，１０に示すように、球抜き状態では、その流入口の排出装置２００側の辺が誘導部２２ｇの貯留タンク２２０側の側縁部に接続されているので、誘導部２２ｇ上、すなわち、排出装置２００のスプロケット２１０より上にある遊技球を全て受け入れ可能な位置にあることになる。また、第１球抜き流路５０１の流入口の貯留タンク２２０側の辺は、排出装置２００を流入状態から球抜き状態に移動することにより、貯留タンク２２０の底壁２２ａの排出装置２００側側縁の真下より僅かに排出装置２００の反対となる端部側の位置となり、底壁２２ａから球抜き開口部に流下する遊技球を全て第１球抜き流路に受け入れるようになっている。
【０１３３】
なお、排出装置２００は、流入状態から球抜き状態に至る際に、排出装置２００の下端部が貯留タンク２２０から離れるように、すなわち、排出装置２００の下端部が裏機構枠１６０の左右方向の排出装置２００側の端部からさらに外側を向くように傾くことから、第１球抜き流路５０１の流入口の貯留タンク２２０側の辺は、貯留タンク２０の底壁２２ａの排出装置２００側端部から下方に離れた位置に配置されることになる。
それに対して、貯留タンク２０の底壁２２ａの排出装置２００側の端部の下面には、上述の流入口の貯留タンク２２０側の辺に沿う円弧状で、かつ、下方に延出する下方延出壁５４１が形成されている。
【０１３４】
下方延出壁５４１は、言い換えれば、底壁２２ａの排出装置２００側の円弧状の側縁部に沿って、底壁２２ａの側縁部の下方に延出している。また、下方延出壁５４１は、流入状態及び球抜き状態の何れにおいても第１球抜き流路５０１の流入口の内側に配置される。
そして、球抜き状態において、下方延出壁５４１は、第１球抜き流路５０１の内側で、流入口の貯留タンク２２０側の辺に近接した位置に配置され、この辺と、底壁２２ａ下面との間に開いた隙間を閉塞するようになっており、この間からの遊技球の漏出を防止するようになっている。
【０１３５】
また、第１球抜き流路５０１の流入口の排出装置２００側の辺と、貯留タンク２２０側の辺とを繋ぐ二辺は、それぞれ、流入状態において、貯留タンク２２０の前壁２２ｃ及び後壁２２ｄの直ぐ下にそれぞれ配置され、球抜き状態において、前壁２２ｃと排出装置２００の左側壁２２ｅの前端との間の直ぐ下と、後壁２２ｄと左側壁２２ｅの後端部との間の直ぐ下とにそれぞれ配置されている。これにより、貯留タンク２２０から排出装置２００を離して球抜き状態とすることにより、開口する球抜き開口部５３１からの遊技球を漏れなく第１球抜き流路に導入することが可能となっている。
【０１３６】
また、第１球抜き流路５０１の流出口は、上述のように、流入状態では、排出受け部１６ｈの第２球抜き流路５０２より裏機構枠１６０の中央側にあり、球抜き状態で第２球抜き流路５０２の流入口５０３上に配置される。この際には、上述のように第１球抜き流路５０１が斜めとなることで、第１球抜き流路５０１の流出口の裏機構枠１６０の端側の辺と、第２球抜き流路５０２の流入口５０３の裏機構枠１６０の端側の辺との間に遊技球が通過可能な間隔があくことになるが、この間隔が上方延出壁５０４によりほぼ閉塞され、遊技球が漏出することなく、第２球抜き流路５０２に流下する。
【０１３７】
以上のことから、球抜き状態で貯留タンク２２０に貯留されている遊技球を球抜き開口部５３１から流下させ遊技機１００外部に排出する球抜き流路を設け、球抜き流路は、排出装置２００に設けられる第１球抜き流路５０１と、第１球抜き流路５０１の下流側で、裏機構枠１６０を介して遊技機１００本体に設けられる第２球抜き流路５０２と、からなり、第１球抜き流路５０１は、排出装置２００とともに移動し、球抜き状態で球抜き開口部５３１と、第２球抜き流路５０２とに連通する。
【０１３８】
また、第１球抜き流路５０１は、球抜き状態において、流入状態の排出装置２００の下部となる回転体収容部２０３の位置に移動することになり、流入状態で回転体収容部２０３が位置する領域の一部と、球抜き状態で第１球抜き流路５０１が位置する領域の一部とが重なることになる。
【０１３９】
上述のように遊技球を貯留する空間は、貯留タンク２２０と排出装置２００との両方に渡って形成された状態となっているが、貯留タンク２２０底壁２２ａの周囲を囲う右側壁２２ｂ、前壁２２ｃ及び後壁２２ｄの高さに対して、排出装置２００の誘導部２２ｇの貯留タンク２２０の反対側を囲う左側壁２２ｅの高さが半分程度となるように低くなっている。
従って、貯留タンク２２０に略一杯となるように遊技球を補給してしまうと、遊技球が貯留タンク２２０の排出装置２００側端部から溢れてしまう。それに対して、排出装置２００の駆動源となるステッピングモータ２０４を貯留タンク２２０に固定するための駆動源取付部材２０６が高さが低くされた排出装置２００の左側壁２２ｅ部分から遊技球が漏出するのを防止する蓋として機能する。
【０１４０】
駆動源取付部材２０６は、半円状の板体に前記半円の直径の幅を有する細板を延長させた形状を有するもので、半円部分が半円状の左側壁２２ｅの本体上に配置され、延長された細板部分が左側壁２２ｅの前後の端部上に架け渡された状態で配置される。
そして、駆動源取付部材２０６は、貯留タンク２２０の底壁２２ａの周囲を囲む壁（右側壁２２ｂ、前壁２２ｃ、後壁２２ｄ）より一段低くなった排出装置２００の左側壁２２ｅで囲まれる貯留部４１１の上を閉塞するようになっている。
【０１４１】
また、駆動源取付部材２０６の前壁２２ｃ及び後壁２２ｄの排出装置２００側の側縁部、すなわち、円弧状の側縁の反対側となる側縁部には、前壁２２ｃ及び後壁２２ｄの側縁に沿って上下に立設された堰壁２０７が取り付けられている。
堰壁２０７により、前壁２２ｃ及び後壁２２ｄと左側壁２２ｅとの間の段差部分から遊技球が駆動源取付部材２０６側に流出するのを防止している。なお、この例においては、堰壁２０７より右側（他端部側）に高さ制限部材２６０が配置され、高さ制限部材２６０が遊技球を堰き止めるので、堰壁２０７が遊技球を堰き止める必要はないが、遊技球が撥ねて高さ制限部材２６０の上に載ってしまったような場合には、この遊技球の落下を防止することができる。
【０１４２】
また、堰壁２０７は、駆動源取付部材２０６に設けられることで、駆動源取付部材２０６の補強部材としての機能を有する。また、堰壁２０７の左右側縁部（遊技機１００の前後方向の前後側縁部）には、それぞれ、タンク取付部材４０２が設けられている。タンク取付部材４０２は、堰壁２０７の前後側縁部から直角に貯留タンク２２０側に延出する上下に長い矩形板状の部材である。
【０１４３】
また、図５〜７に示すように、前側（後側）のタンク取付部材４０２は、貯留タンク２２０の前壁２２ｃ（後壁２２ｄ）の外側に前壁２２ｃ（後壁）と平行に配置され、前壁２２ｃ（後壁２２ｄ）と略当接した状態（当接もしくは近接した状態）となっている。
また、堰壁２０７の前後側縁部と、前後のタンク取付部材４０２との接合部の内側となる部分には、貯留タンク２２０側に向かって開放した状態で、前記接合部に沿って上下に溝部４１２が形成されており、この溝部４１２の遊技機１００の前後方向の幅は、前壁２２ｃ及び後壁２２ｄの厚みより僅かに広いものとなっている。
【０１４４】
そして、この前後の溝部４１２には、それぞれ、前壁２２ｃもしくは後壁２２ｄの排出装置２００側の側縁部が挿入された状態となっている。
また、前後のタンク取付部材４０２には、図７に示すように、上部にピン孔４１３が形成され、かつ、その下の中央部となる部分の貯留タンク２２０側の側縁部から前方に延出する被ガイド支持板４２１が設けられている。
【０１４５】
ピン孔４１３は、排出装置２００を流入状態とした場合に、上述のように２つのタンク取付部材４０２を貯留タンク２２０の前壁２２ｃ、後壁２２ｄに係止ピン４０５で固定するためのものである。
被ガイド支持板４２１は、上述のように、その上下の中央部に被ガイド支持板４２１の長さ方向（水平方向）に延在するスリット４２２を有し、上下のガイドリブ５２１，５２２の間の被ガイド支持板４２１が挟まれた状態に配置されることと、スリット４２２に貯留タンク２２０に固定される支持ピン４０６が挿入されることで、排出装置２００の流入状態と球抜き状態との間での左右の移動と、排出装置２００を傾ける移動とを案内させるためのものである。
【０１４６】
そして、溝部４１２に前壁２２ｃ、後壁２２ｄの側縁部が挿入された状態、すなわち、貯留タンク２２０に排出装置２００を取り付ける状態で、前側（後側）のタンク取付部材４０２のピン孔４１３が貯留タンク２２０の前壁２２ｃ（後壁２２ｄ）の上側のピン孔４０３と重なり、前側（後側）のタンク取付部材４０２と前壁２２ｃ（後壁２２ｄ）とを貫通するように係止ピン４０５をピン孔４１３及び上のピン孔４０３に挿通させることができる。また、係止ピン４０５は、上述のように取り外しすることができる。
【０１４７】
一方、貯留タンク２２０及び排出装置２００の組み立て時に、上述のように貯留タンク２２０に排出装置２００を取り付ける状態で、前側（後側）のタンク取付部材４０２の被ガイド支持板４２１のスリット４２２が貯留タンク２２０の前壁２２ｃ（後壁２２ｄ）の下側のピン孔４０４と重なり、前側（後側）のタンク取付部材４０２と前壁２２ｃ（後壁２２ｄ）とを貫通するように支持ピン４０６をスリット４２２及び下のピン孔４０４に挿通させることができる。
【０１４８】
支持ピン４０６は、前側（後側）のタンク取付部材４０２の被ガイド支持板４２１と前壁２２ｃ（後壁２２ｄ）とを貫通させた状態で、支持ピン４０６の頭部と反対側となる位置に止め輪４０７が取り付けられることで、支持ピン４０６の頭部と止め輪４０７とにより、支持ピン４０６がスリット４２２及び下側のピン孔４０４から抜けないようになっている。
【０１４９】
前記駆動源取付部材２０６は、その下面が平面状とされるとともに、上面側に補強用リブやステッピングモータ２０４の取付部材等が形成されている。また、駆動源取付部材２０６の半円部分の円の中心となる位置には、ステッピングモータ２０４の回転軸を貫通する貫通孔が形成されている。
すなわち、駆動源取付部材２０６は、その上側にステッピングモータ２０４を支持するようになっている。
【０１５０】
また、駆動源取付部材２０６の堰壁２０７が設けられた側の側縁部、すなわち、貯留タンク２２０の排出装置２００が設けられた端部とは反対となる端部側を向いた側縁部には、後述するように高さ制限部材２６０の取付部２６ａが取り付けられている。
また、駆動源取付部材２０６は、その外周部の複数箇所に互いに間隔を開けて固定片２０ｘが外方に向かって突出して形成されている。そして、左側壁２２ｅに貯留部４１１の外側となるように突出して形成されたボス２０ｙに、前記固定片２０ｘがビス止めされることで、駆動源取付部材２０６が貯留タンク２２０に固定されている。すなわち、タンク取付部材４０２が堰壁２０７を介して取り付けられた駆動源取付部材２０６に、ステッピングモータ２０４と、左側壁２２ｅを有する筐体部４１０とが接続されることで、タンク取付部材４０２を有する駆動源取付部材２０６を介して排出装置２００全体が貯留タンク２２０に取り付けられた状態となっている。
【０１５１】
駆動源取付部材２０６の堰壁２０７側の側縁部には、図１６，１７に示すように、傾斜部２２ｈを流下して導入部２０２に流入する遊技球の積み重なる高さを制限する高さ制限部材２６０が貯留タンク２２０の遊技機１００の前後方向に渡って設けられている。
高さ制限部材２６０は、駆動源取付部材２０６に取り付けられる取付部２６１と、該取付部２６１の傾斜部の傾斜上流側に延出する延設部２６２と、該延設部２６２の先端部から湾曲して上方に延出する湾曲部２６３を有する。
なお、取付部２６１、延設部２６２及び湾曲部２６３は、互いに必ずしも明確な境界で分けられているものではなく、後述のように櫛歯状にされた高さ制限部材２６０の各櫛歯部２６４，…毎に取付部２６１、延設部２６２、湾曲部２６３が一体に形成されている。
【０１５２】
また、取付部２６１から湾曲部２６３の先端まで、傾斜部の左右方向（遊技機の左右方向）の傾斜に沿って、前後方向に互いに間隔を開けてスリット状の切り込み２６５，…（切り欠き）が形成され、これにより高さ制限部材２６０は、湾曲部２６３及び延設部２６２が切り込み２６５，…により完全に各櫛歯部２６４，…毎に切離された櫛歯状の形状となっている。
また、各切り込み２６５，…同士の遊技機１００前後方向の間隔もしくは各櫛歯部２６４，…の遊技機１００前後方向の幅が略遊技球の直径に等しいものとされている。
そして、高さ制限部材２６０は、弾性を有する合成樹脂製となっており、外力がかかった場合に各櫛歯部２６４，…毎に弾性変形して撓むことが可能となっている。
【０１５３】
すなわち、高さ制限部材２６０は、傾斜部２２ｈの傾斜下流側で貯留タンク２２０に取り付けられる取付部２６１と、該取付部２６１から傾斜部２２ｈの傾斜上流側に延出する延設部２６２と、該延設部２６２から上方に向かって湾曲する湾曲部２６３と、からなり、且つ、取付部２６１から湾曲部２６３の先端まで複数切り欠かれた櫛歯状に形成されるとともに、各々の櫛歯部２６４，…が傾斜部２２ｈを流下する遊技球の圧力により撓むように構成されている。
また、高さ制限部材２６０は、遊技球の略直径に対応して切り欠き（切り込み２６５，…）が設けられている。
【０１５４】
この高さ制限部材２６０により、貯留タンク２２０内の傾斜部２２ｈ上に、駆動源取付部材２０６の下面より高く積み重なるように遊技球が貯留された場合に、高さ制限部材２６０の主に湾曲部２６３が、駆動源取付部材２０６と略同じ高さ位置となる延設部２６２より上となる遊技球を堰き止めるとともに下側に誘導し、延設部２６２は、湾曲部２６３より排出装置２００側で遊技球の積み重なる高さを延設部２６２より下側にするとともに、取付部２６１側に向かうにつれて遊技球の積み重なる高さを徐々に低くするようになっている。
この際に、高さ制限部材２６０が各櫛歯部２６４，…毎に弾性変形し、高さ制限部材２６０により上側を規制されるとともに積み重なった状態の遊技球同士が噛み合ってブリッジを形成するのを防止することができる。
【０１５５】
また、この高さ制限部材２６０と、駆動源取付部材２０６とにより誘導部２２ｇの内周側（導入部２０２）で露出する回転体であるスプロケット２１０及び回転体上部材２１４上に積み重なる遊技球の高さを制限し、駆動源取付部材２０６が設けられた部分で球詰まりが発生することを防止するとともに、遊技球の荷重に基づく球圧がスプロケット２１０及び回転体上部材２１４の回転に及ぼす影響を制限している。
そして、上述のように、駆動源取付部材２０６に高さ制限部材２６０の取付部２６１を取り付けたので、駆動源取付部材２０６を介してステッピングモータ２０４の作動時の振動が高さ制限部材２６０に伝わるので、球が噛みあってブリッジが生じたような場合に、前記振動でブリッジを崩すことができ、これにより確実に球詰まりを防止できる。
【０１５６】
また、前記駆動源取付部材２０６の左側壁２２eの反対側となる堰壁２０７側の側縁部
は、スプロケット２１０の回転中心より僅かに傾斜部２２ｈ側となっており、この側縁部に取り付けられる高さ制限部材２６０の取付部２６１は、前端部と後端部とを除いて回転体であるスプロケット２１０上に配置されている。すなわち、取付部２６１の一部は、スプロケット２１０の直上に位置している。
そして、駆動源取付部材２０６に取り付けられた取付部２６１はほとんど撓まない状態となるので、撓みによる球詰まりの解除を望めないが、取付部２６１の下となるスプロケット２１０の回転力が遊技球により伝動されることで、取付部２６１の下側でブリッジが発生してもこれをスプロケット２１０の回転により生じる回転力や振動で崩し、球詰まりを防止することができる。
【０１５７】
以下に、上述の筒体部２０１とともに排出装置２００を構成する各構成要素について説明する。
ここで、排出装置２００は、上下方向に設定された（ほぼ垂直な）回転軸を中心に回転可能に構成されるとともに、貯留タンク２２０の遊技球が導入される導入部２０２から遊技球を受け入れる複数の球受部２０８，…を有するスプロケット２１０を備え、該スプロケット２１０の回転に応じて、該球受部２０８，…に遊技球を受け入れるとともに受け入れた遊技球を下方に設定された排出用導出部２０ａに１個宛導出するように構成されている。
【０１５８】
ステッピングモータ２０４は、パルス状の駆動電力が１パルス入力する度に所定角度回転するモータであり、排出制御基板３４から出力されるパルス状の電力に応じて回転するようになっている。なお、ステッピングモータ２０４は、例えば、遊技球を１個払い出すことが可能な回転角度ずつ回転可能なように制御されており、後述するようにスプロケット２１０の外周部には、遊技球を受け入れる１０個の球受部２０８，…が周方向に並んで配置され、各球受部２０８，…に遊技球が受け入れられるようになっている。そこで、ステッピングモータ２０４は、１／１０回転ずつ回転可能とされている。そして、排出制御基板３４は、払い出すべき遊技球数に対応してステッピングモータ２０４を回転させるように制御することになり、ステッピングモータ２０４を払い出すべき遊技球数に１／１０を乗算した回転数だけ回転させることになる。
なお、ステッピングモータ２０４の制御の具体例は後に説明する。
【０１５９】
また、ステッピングモータ２０４は、上述のように駆動源取付部材２０６の上側に、回転軸２０ｚを下方に略垂直に向けて配置されている。そして、ステッピングモータ２０４の下側にスプロケット２１０が固定されることになる。すなわち、回転体としてのスプロケット２１０を駆動させる駆動源としてのステッピングモータ２０４をスプロケット２１０の上方に駆動源取付部材２０６により取り付けている。これによりステッピングモータ２０４をスプロケット２１０の下方に設けた場合のようにステッピングモータ２０４が貯留タンク２２０の下側に大きく突出するようなことがなく、排出装置２００をコンパクトに配置することができる。
【０１６０】
また、駆動源取付部材２０６は、貯留タンク２２０の右側壁２２ｂ、前壁２２ｃ、後壁２２ｄの上縁部より、上縁部が低くされた左側壁２２ｅ上に固定されるので、駆動源取付部材２０６が貯留タンク２２０の上側縁部より貯留タンク２２０の最も深い部分の上下幅の半分程度の距離だけ低い位置に配置される。従って、駆動源取付部材２０６の上にステッピングモータ２０４を配置するものとしても、ステッピングモータ２０４の貯留タンク２２０より上に突出する長さを僅かなものとすることができ、貯留タンク２２０と排出装置２００とを合わせた大きさをコンパクトにすることができる。
【０１６１】
そして、図１８等に示すように、ステッピングモータ２０４の回転軸２０ｚには、回転体上部材２１４が回転軸２０ｚと一体に回転可能に取り付けられている。すなわち、回転体上部材２１４の中心部に設けられた挿入口に回転軸２０ｚが挿入されるとともに、回転軸２０ｚと回転体上部材２１４とが互いに回転不可となるように接合されている。
そして、回転体上部材２１４の下端部にスプロケット２１０が固定され、回転体上部材２１４とスプロケット２１０がその軸回り、すなわち、ステッピングモータ２０４の回転軸２０ｚ回りに一体に回転するようになっている。なお、ステッピングモータ２０４の回転軸は略垂直（鉛直）となるように配置されており、回転体上部材２１４及びスプロケット２１０の回転の中心軸もほぼ垂直となる。
回転体上部材２１４は、その下部が円板状に形成された回転誘導部２１ｆとされ、その上部が回転誘導部２１ｆの中央部から上方に延出する概略円錐台状の延出部２１ｇとされている。すなわち、スプロケット２１０の回転誘導部２１ｆの内側に、回転軸２０ｚに沿って上方に延出する延出部２１ｇを設けている。
【０１６２】
回転誘導部２１ｆは、円板状に形成されるがその中央部に延出部２１ｇが配置されているので、円環状の構造を有するものとなっており、その上面が中央側から外周側に下り傾斜している。また、回転誘導部２１ｆの内周縁から外周縁までの幅は、例えば、遊技球の直径以上で直径の２倍以下とされている。
そして、上述の貯留タンク２２０の底壁２２ａの排出装置２００側端部に形成された誘導部２２ｇと、その内側に配置される回転誘導部２１ｆとの間には、遊技球の直径より僅かに広い間隔があくようになっている。そして、この間隔は円環状の誘導部２２ｇの内周縁と、同じく円環状の回転誘導部２１ｆの外周縁との間に円環状に形成されることになる。また、この間隔部分の下側にスプロケット２１０上部の外周部に設けられた球受部２０８，…の上方に開放された部分の全てが露出するようになっている。
【０１６３】
そして、誘導部２２ｇと回転誘導部２１ｆとの間の間隔に露出した球受部２０８，…に貯留タンク２２０内の遊技球が流入して導入されるようになっており、誘導部２２ｇと回転誘導部２１ｆとの間の円環状の間隔が、排出装置２００に遊技球を導入する導入部２０２となっている。
【０１６４】
また、上記説明では、導入部２０２を誘導部２２ｇと回転誘導部２１ｆとの間としたが、誘導部２２ｇ及び回転誘導部２１ｆが、これらの間の間隔に配置される球受部２０８，…に遊技球を導入させるものであることから、導入部２０２に誘導部２２ｇ及び回転誘導部２１ｆが含まれるものとしても良い。
【０１６５】
この場合に、導入部２０２は、底壁２２ａに設けられ、スプロケット２１０の外周を囲み略遊技球１個分の幅で円形に形成されるとともに、スプロケット２１０側に下り傾斜して球受部２０８，…に遊技球を誘導する誘導部２２ｇと、スプロケット２１０の上面に円形に形成され、回転軸から球受部２０８，…に向けて下り傾斜して球受部２０８，…に遊技球を誘導する回転誘導部２１ｆとを備えるものである。
なお、誘導部２２ｇの最も低くなる内周縁部と、回転誘導部２１ｆの最も低くなる外周縁部の高さ位置がほぼ同じとされている。
【０１６６】
ここで、貯留タンク２２０の誘導部２２ｇ、球受部２０８，…、回転誘導部２１ｆの上にこれらを完全に覆うように遊技球が貯留された場合に、誘導部２２ｇ、球受部２０８，…、回転誘導部２１ｆ上に遊技球が配置される。なお、球受部２０８，…内に遊技球が一杯に流入した状態では、球受部２０８，…上にも遊技球が溜まることになる。従って、導入部２０２には、球受部２０８，…へ取り込まれる遊技球が誘導部２２ｇ上、球受部２０８，…上および回転誘導部２１ｆ上に３列の同心円状に待機可能となる。
【０１６７】
上述のように遊技球の直径に対応した幅を有する円環状の誘導部２２ｇの直径と、貯留タンク２２０の前後幅、すなわち、上面が傾斜部２２ｈとされた底壁２２ａの前後幅がほぼ等しいことから、傾斜部２２ｈの遊技機１００の前後方向の長さと、導入部２０２の遊技機１００の前後方向の長さをほぼ同じに構成している。また、貯留タンク２２０からの遊技球が導入される導入部２０２に対して、スプロケット２１０の全て（複数）の球受部２０８，…が臨むようにしている。
【０１６８】
また、延出部２１ｇは、遊技球の直径の２倍程度以上の高さを有するとともに、最も細く形成された上端部で遊技球の直径程度の径を有するものとなっている。そして、スプロケット２１０の中央部分上に延出部２１ｇを配置することでスプロケット２１０の中央部分上に遊技球が滞留してしまうのを防止するとともに、延出部２１ｇの回転により延出部２１ｇに接触した遊技球の噛み合いを崩し、遊技球を円滑に導入部２０２側に流動させるようにしている。
【０１６９】
スプロケット２１０は、その外周部に上述の複数の球受部２０８，…を有するものであり、その上下高さが後述の回転軸部２０ｎを除くと、遊技球の直径の２倍より長く、直径の３倍より僅かに短いものとなっている。また、スプロケット２１０の各球受部２０８，…は、上下三段に遊技球を受入可能となっており、スプロケット２１０は、その上部となる第１回転体２０ｐと、下部となる第２回転体２０ｑと、これら第１回転体と第２回転体の中間となる中間回転体２０ｒとからなっている。
【０１７０】
また、スプロケット２１０は、筒体部２０１内に収容された状態となっており、筒体部２０１の最も内径が大きな第１筒体２１ａに第１回転体２０ｐが収納され、最も内径が小さい第２筒体２１ｂに第２回転体２０ｑが収容され、これら第１回転体２０ｐと第２回転体２０ｑの中間となる中間回転体２０ｒが、第１筒体２１ａと第２筒体２１ｂの中間となる中間筒体２１ｃ内に収容される。なお、実際には、筒体部２０１の第１筒体２１ａ、中間筒体２１ｃ、第２筒体２１ｂの各下端に対して、スプロケット２１０の第１回転体２０ｐ、中間回転体２０ｒ、第２回転体２０ｑの各下端が少し高くされ、それにより、筒体部２０１の中間筒体２１ｃ、第２筒体２１ｂの各上端に対して、スプロケット２１０の中間回転体２０ｒ、第２回転体２０ｑの各上端が少し高くされている。
【０１７１】
また、スプロケット２１０の外周には、外周に沿って球受部２０８，…が設けられることになるが、各球受部２０８，…は、スプロケット２１０の外周において上から下まで断面円弧状の溝状に形成されているとともに、溝の上下が開放された状態となっている。なお、この断面円弧状の溝の円弧の直径は、遊技球の直径より僅かに長いものとされている。また、各球受部２０８，…の各高さ位置で最も深い部分（最もスプロケット２１０の中心軸に近い部分）と筒体部２０１の内周面との距離は、遊技球の直径より僅かに長いものとなっている。
ここで、スプロケット２１０の各球受部２０８，…同士の間の外側に向かって突出する突出部を歯（スプロケットの歯）と称する。また、スプロケット２１０の各高さ位置における球受部２０８，…の最も深い部分における直径、半径を歯底円直径、歯底円半径と称する。また、歯の先端（歯先）となる最も直径が長くなる部分のスプロケット２１０の各高さ位置の直径、半径を歯先円直径、歯先円半径と称する。
【０１７２】
上述のことから、筒体部２０１とスプロケット２１０との間には、各球受部２０８，…毎に上下に遊技球を通過可能な空間が形成されるようになっている。また、スプロケット２１０は、第１筒体２１ａの直径に対して第２筒体１２ｂの直径が遊技球の直径程度短くなっていることから、スプロケット２１０の第１回転体２０ｐの歯底円直径に対して第２回転体２０ｑの歯底円直径が遊技球の直径程度短くなっている。すなわち、スプロケット２１０の上部である第１回転体２０ｐの歯底円直径よりスプロケット２１０の下部である第２回転体２０ｑの歯底円直径が短くされている。なお、スプロケット２１０の各高さ位置の歯先にあたる部分の歯先円直径も第１回転体２０ｐより第２回転体２０ｑの方が短くされている。
【０１７３】
また、中間回転体２０ｒは、その上端部が第１回転体２０ｐと一体に接合されるとともに歯底円直径が第１回転体２０ｐと等しくされ、下端部が第２回転体２０ｑと一体に接合されるとともに、歯底円直径が第２回転体２０ｑと等しくされている。これにより、中間回転体２０ｒは、中間筒体２１ｃに対応する形状として、歯底円直径が上から下に向かうにつれて小さくなる概略円錐台状の形状を有する。これにより、中間筒体２１ｃの内周面は、傾斜面となっている。
なお、歯底から歯先までの歯の長さは、第１回転体２０ｐが最も長く、第２回転体２０ｑが最も短くされ、中間回転体２０ｒにおいては、第１回転体２０ｐの歯の長さから第２回転体２０ｑの歯の長さまで、歯の長さ上から下に向かって短くなるようになっている。
【０１７４】
また、各球受部２０８，…内には、上下複数段、ここでは上下三段に渡って遊技球が配置されるようになっている。すなわち、各球受部２０８，…においては、遊技球が第１筒体２１ａと第１回転体２０ｐとの間となる第１球受部２１１に１個、中間筒体２１ｃと中間回転体２０ｒとの間となる中間球受部２１３に１個、第２筒体２１ｂと第２回転体２０ｑとの間となる第２球受部２１２に１個配置される。すなわち、スプロケット２１０を、各球受部２０８，…において上下方向に複数の遊技球を受け入れ可能に構成している。
【０１７５】
すなわち、スプロケット２１０の球受部２０８，…は、貯留タンク２２０の遊技球を導入するための導入部２０２から遊技球を受け入れる上段の第１球受部２１１と、第１球受部２１１よりも下方であって、第１球受部２１１が配列する円周の径よりも小径の円周上に配列され、排出用導出部２０ａに遊技球を導出する第２球受部２１２と、第１球受部２１１と第２球受部２１２との間に所定の上下寸法で設定されて設けられ、該第１球受部２１１の内側面から第２球受部２１２の内側面に連続する傾斜面を有する中間球受部２１３とを備えている。
【０１７６】
また、各球受部２０８，…は、第１回転体２０ｐから中間回転体２０ｒを経て第２回転体２０ｑまでに渡って設けられており、それぞれ径（歯底円直径）の異なる第１回転体２０ｐ、中間回転体２０ｒ、第２回転体２０ｑの外周に同数の遊技球が配置可能な構成となる。従って、第１回転体２０ｐの外周部は、第２回転体２０ｑの外周部より円周が長いので、各遊技球の間の間隔が第２回転体２０ｑの外周部より第１回転体２０ｐの外周部のほうが広くなる。
【０１７７】
ここで、球受部２０８，…のスプロケット２１０の周方向に沿った広さを下から上に向かうほど広くしてしまうと、第１回転体２０ｐの外周部における各球受部２０８，…内での遊技球の遊びが大きくなりすぎる可能性があるので、第１回転体２０ｐにおいては歯の長さを遊技球の半径より長くして（第１回転体２０ｐの歯底円から第１筒体２１ａの内面までの長さの１／２より長くして）、遊技球の中心部同士の間に歯を配置するようにすることで、遊技球同士の間隔のスペーサとして機能させるようになっている。これにより、遊技球同士の間隔が長くても遊技球の遊びが大きくならないようにしている。なお、球受部２０８，…の一番上の遊技球の遊びが大きすぎると、この遊技球の大きな移動により、下の遊技球にかかる力の方向が大きく変化し、遊技球の排出装置２００からの導出に悪影響を与える可能性がある。
【０１７８】
また、第１球受部２１１の形状を遊技球の広い範囲（半径以上の範囲）を囲うようにすることにより遊技球を確実に受け入れることが可能となる。すなわち、球受部２０８，…の歯の突出量が小さい場合には、隣接する遊技球の間に歯が無くなることから遊技球の受入領域がその両隣の遊技球の間となるが、このような構成であると受入領域が遊技球の移動により変化し、さらに、この変化により、導入部２０２内の各遊技球の位置がランダムになりやすく、その高低差が大きくなることから、その上の遊技球が大きく跳ねたりして遊技球の受け入れに支承が生じるが、上述のように第１球受部２１１において、歯を長くすることで、上述のような問題を解消できる。
【０１７９】
一方、第２回転体２０ｑにおいては、遊技球同士の間隔が互いに接触しそうな程狭くされる（接触する可能性もある）ので、遊技球同士の間隔を狭くできるように、歯を遊技球の半径より短くする（第２回転体２０ｑの歯底円から第２筒体２１ｂの内面までの長さの１／２より短くする）とともに、歯により遊技球を押して円周方向の移動可能としている。
以上のことから、スプロケット２１０の外周部において、スプロケット２１０の外周から外側に突出して球受部２０８，…を構成する突出部としての歯が設けられている。また、スプロケット２１０の外周から外側に突出して前記第１球受部２１１を構成する歯（突出部）の突出量よりも、前記第２球受部２１２を構成する歯（突出部）の突出量を小さく設定している。
【０１８０】
また、上述のような構成により、各球受部２０８，…において、上側の遊技球より下側の遊技球を内側にずらして配置する構成としたことにより、上側の遊技球の荷重が下側の遊技球に鉛直方向にかかるのを防止している。例えば、上側の遊技球（一番上の遊技球及び二番目の遊技球）の荷重の一部が中間筒体２１ｃの傾斜面となった内周面にかかるような構成となり、遊技球の荷重が分散され、一番下の遊技球にかかる荷重が低減されることになる。
【０１８１】
なお、球受部２０８，…の上段の遊技球の最も高い位置は、誘導部２２ｇの内周縁、回転誘導部２１ｆの外周縁（ほぼスプロケット２１０の上面の高さ）、スプロケット２１０の歯の上縁（基本的にスプロケット２１０の上面の高さ）とほぼ同じ位置となり、遊技球の一番上が球受部２０８の上縁より上に突出しないようになっている。これにより、スプロケットの球受部２０８，…から遊技球の上端が突出した状態でスプロケット２１０が回転することにより、その上の遊技球が球受部２０８，…から突出する遊技球と衝突して撥ねたり、スプロケット２１０の回転に大きな負荷がかかったりするのを防止できるようになっている。また、逆に球受部２０８，…内の遊技球よりスプロケット２１０の歯が上方に突出して歯が遊技球と衝突することにより、遊技球が撥ねたり、スプロケット２１０の回転に大きな負荷がかかったりするのを防止することができる。
【０１８２】
スプロケット２１０の第２回転体２０ｑの下面（スプロケット２１０本体の下面）はほぼ水平な平面とされるとともに、その中心部から下方に突出する回転軸部２０ｎが設けられている。回転軸部２０ｎは、第２回転体２０ｑの下面の中心部からほぼ鉛直方向に垂設された円柱状の部材である。さらに、回転軸部２０ｎの下端からは、回転軸部２０ｎと同心円状に形成された円柱状の挿入軸部２０ｍが下方に突出して設けられている。
この挿入軸部２０ｍは、底部２１６の中心に形成される後述の軸受孔２１ｎに挿入され、上方に設けられたステッピングモータ２０４の回転軸２０ｚにより回転させられるスプロケット２１０の回転を安定させるようになっている。
【０１８３】
また、軸受孔２１ｎの内径は、挿入軸部２０ｍの直径より広く、その上の回転軸部２０ｎの直径より狭くなっている。言い換えると回転軸部２０ｎと挿入軸部２０ｍとからスプロケット２１０の下側の回転軸となる下部回転軸が形成され、下部回転軸部の上部となる回転軸部２０ｎが軸受孔２１ｎより径の大きな大径部とされ、下部回転軸の下部となる挿入軸部２０ｍが軸受孔２１ｎより径の小さな小径部とされている。これにより、回転軸部２０ｎが軸受孔２１ｎ内に挿入されることがなく、回転軸部２０ｎが第２回転体２０ｑの下面（スプロケット２１０の歯の下面）と底部２１６上面との間隔を後述のように遊技球の半径程度とするスペーサとなっている。従って、回転軸部２０ｎの上下長さは、遊技球の略半径の長さとなっている。
【０１８４】
底部２１６は、図１９に示すように、筒体部２０１の開放された下端部を閉塞するものであり、ほぼ円板状に形成されると共に、その中心部に上述の軸受孔２１ｎが形成されている。そして、底部２１６は、上述のようにスプロケット２１０の各球受部２０８，…に上下複数段（三段）に受け入れられた遊技球を下方から支持する底となり、筒体部２０１の内周面と、スプロケット２１０の球受部２０８，…の円弧状内周面と、底部２１６上面とで、球受部２０８，…内に受け入れた遊技球を保持するようになっている。
【０１８５】
また、底部２１６には、スプロケット２１０が回転した場合に、スプロケット２１０の球受部２０８，…に受け入れられた遊技球を排出装置２００からシュート２４０の排出流路２４８に導出するための開口部である前記排出用導出部２０ａが形成されている。
この排出用導出部２０ａは、底部２１６において、底壁２２ａの傾斜部２２ｈの反対側となる位置に形成されている。
【０１８６】
排出用導出部２０ａは、スプロケット２１０の球受部２０８，…を形成するように隣り合う球受部２０８，…の間となる歯の部分と、排出用導出部２０ａとなる開口部の周縁部との間に遊技球を挟み込むことを防止するために、球受部２０８，…内で一番下の段である第２球受部２１２に保持された遊技球の周方向に沿った遊技球の直径幅を有する遊技球の軌跡範囲と完全に重なる位置よりも外側にずらして配置している。
【０１８７】
ここで、排出装置２００においては、遊技機１００の遊技で特別遊技状態が発生した場合には、短期間内に多くの遊技球の入賞が発生し、該入賞に対応して大量の賞球が発生し、賞球としての遊技球を排出することになるが、入賞の発生と、賞球の排出との間に時間的に大きな間隔があかないようにするためには、短期間に大量の遊技球を排出する必要があり、この場合に、スプロケット２１０が高速で回転する必要がある。
【０１８８】
この場合に、導出部２０ａとなる開口部の側縁とスプロケット２１０の歯の側縁との間に遊技球を挟んでしまう可能性が高まるが、スプロケット２１０の本体下面と、底部２１６の上面との間に遊技球の半径程度の間隔をあけることで、遊技球が挟まれるのが防止される。さらに、確実に遊技球が挟まれるのを防止すために、賞球及び貸球の排出を行うための排出用導出部２０ａを遊技球の周方向に沿った遊技球の直径幅を有する軌跡範囲と完全に重なる位置よりも外側にずらして配置している。
すなわち、導出口である排出用導出部２０ａを、スプロケット２１０の球受部２０８，…（第２回転体２０ｑ）に保持された遊技球の円軌道上から外側にずらした位置に形成している。
【０１８９】
なお、排出用導出部２０ａの位置は、遊技球が挟まれないようにする上では、スプロケット２１０の下部となる第２回転体２０ｑの歯先円より外側となっていることが好ましく、ここでは、歯先円の外側となっている。また、排出用導出部２０ａの位置を、スプロケット２１０の球受部２０８，…の最下段となる第２球受部２１２に保持された遊技球の中心の軌跡より外側としている。すなわち、排出用導出部２０ａが遊技球の中心の軌跡とが重ならない該軌跡の外側に位置している。
そして、底部２１６には、排出用導出部２０ａを遊技球の中心の軌跡より外側に配置するために円板状の本体から外側に突出する導出凸部２１ｉが形成されている。
【０１９０】
そして、排出用導出部２０ａは、図１９，２０に示すように、外周縁部が、上述の遊技球の中心の軌跡より遊技球の半径分外側となる円周方向に沿った遊技球の外周側軌跡の一点から接線方向に沿った外側縁部３０１と、前記外周側軌跡の一点より遊技球の軌跡となる円の半径方向の内側となり、かつ、遊技球の中心の軌跡より僅かに外側の位置から、遊技球の中心の軌跡より僅かに外側で遊技球の中心の軌跡に沿って、円弧状に延出する内側縁部３０２と、外側縁部３０１の外周側軌跡の一点側となる一方の端部と内側縁部３０２の前記一点側に対応する一方側の端部とをほぼ円弧状の曲線で結んだ形状となる始点側縁部３０３と、外側縁部３０１の他方の端部と内側縁部３０２の他方の端部とをほぼ円弧状の曲線で結んだ形状となる終点側縁部３０４とから構成された形状を有する。
なお、円弧状の終点側縁部３０４の円弧を構成する円の直径は遊技球の直径より僅かに大きなものとなっている。
また、前記外周縁部のうちの内側縁部３０２及び始点側縁部３０３は、外周側から内周側に向かって下り傾斜する斜面となっている。また、これら斜面は、遊技球を始点側縁部３０３から終点側縁部３０４側に向かって誘導するように形成されている。また、この斜面は、少なくとも一部が最下段の遊技球の中心の軌跡と重なる位置となっている。
【０１９１】
また、底部２１６の下側には、排出用導出部２０ａと上下に重なる位置に後述のように排出球の検出センサ２１７が設けられている。すなわち、導出口としての排出用導出部２０ａに排出球を計数するための検出センサ２１７（近接センサ）を設けている。この検出センサ２１７は、遊技球用の周知のセンサであり、全体として長方形の板状で、一方の端部側に遊技球が通過可能な検出孔３０６が形成され、この検出孔３０６を通過する遊技球を非接触で検出可能となっている。
そして、底部２１６の下側において、検出センサ２１７は、排出用導出部２０ａを閉塞するように排出用導出部２０ａと上下に重なる位置に配置され、検出センサ２１７の検出孔３０６と、排出用導出部２０ａの終点側縁部３０４側の端部が重なるようになっている。また、検出孔３０６の直径と、円弧状（略半円状）の終点側縁部３０４の直径とがほぼ等しくされ、検出孔３０６の外周と終点側縁部３０４がほぼ重なるようになっている。これにより、排出用導出部２０ａに誘導された遊技球は、始点側縁部３０３側から終点側縁部３０４側に誘導され、終点側縁部３０４側の端部から下方に流下し、検出孔３０６を通過するようになっている。
【０１９２】
なお、排出用導出部２０ａの終点側縁部３０４側の端部を除いて、排出用導出部２０ａの幅、すなわち、外側縁部３０１と内側縁部３０２との間隔は、遊技球の直径より短くなっているとともに、始点側縁部３０３から終点側縁部３０４に向かって広がるようになっており、これにより排出用導出部２０ａの始点側に導入された遊技球は、終点側に案内されて終点側で下方に流下することになる。
【０１９３】
また、排出用導出部２０ａの検出孔３０６と上下に重なっている以外の部分、すなわち、終点側端部を除く部分では、検出センサ２１７（検出孔３０６を除く部分）と排出用導出部２０ａが重なった状態となり、排出用導出部２０ａから検出センサ２１７が露出した状態となるが、外側縁部３０１と内側縁部３０２との間隔、検出センサ２１７の上面と、底部２１６上面との距離と、後述の導出部囲い壁２１ｋなどから、排出用導出部２０ａの始点側から終点側に移動する遊技球が検出センサ２１７の上面に触れないようになっている。
そして、上述のような構成により後述するようにスプロケット２１０の回転により、排出用導出部２０ａの位置に球受部２０８，…の最下段の遊技球が搬送されると、内側縁部３０２及び始点側縁部３０３の排出用導出部２０ａ側に下り傾斜する斜面と、外側縁部３０１と内側縁部３０２との間隔が始点側縁部３０３から終点側縁部３０４に向かって広がっていることと、スプロケット２１０の回転による遠心力と、スプロケット２１０の最下段において球受部２０８，…同士の間の歯の歯元から歯先までの長さが遊技球の直径より短く、歯が遊技球の中心よりスプロケット２１０の回転軸側を押す状態となっていることから、遊技球が、遊技球の中心の軌跡より外側の排出用導出部２０ａに誘導される。
【０１９４】
そして、球受部２０８，…の最下段（第２球受部２１２）の遊技球が排出用導出部２０ａに流下することになる。この際には、上述のリブ２１ｅにより、球受部２０８，…の排出用導出部２０ａに流下する遊技球より上段（中間球受部２１３、第１球受部２１１）の遊技球が、最下段より上に留まったままとなるが、リブ２１ｅの無い部分まで回転することで、最下段より上段の遊技球が下方に移動する。これによって、中段（中間球受部２１３）の遊技球が最下段に移動し、最上段（第１球受部２１１）の遊技球が中段に移動するので、球受部２０８，…の最上段が空いた状態となり、球受部２０８，…の最上段に遊技球を受入可能となる。
すなわち、スプロケット２１０を回転させることで、球受部２０８，…の最上部で遊技球を受け入れるとともに最下部の遊技球を導出するようになっている。
【０１９５】
前記底部２１６の導出凸部２１ｉは、上述のように、円板状の底部２１６本体より外側に突出することで、筒体部２０１より外側に露出することになる。
また、筒体部２０１の下部となる第２筒体２１ｂの前記導出凸部２１ｉに対応する位置には、上述の切欠部２１ｄが形成されている。そして、前記切欠部２１ｄから露出する導出凸部２１ｉを囲うように、底部２１６には、導出部囲い壁２１ｋが設けられている。導出部囲い壁２１ｋは、底部２１６の上面に立設され、導出凸部２１ｉの外周部を含み、かつ、排出用導出部２０ａの始点側縁部３０３及び内側縁部３０２を除く、外側縁部３０１及び終点側縁部３０４を囲むように形成されている。すなわち、排出用導出部２０ａの遊技球が流入する側を除いて、排出用導出部２０ａを囲むように、導出部囲い壁２１ｋが設けられている。
【０１９６】
そして、導出部囲い壁２１ｋは、排出用導出部２０ａの遊技球が流入する側を除いて、排出用導出部２０ａを囲うことで、遊技球を確実に排出用導出部２０ａ内に流下させるようになっている。
また、導出部囲い壁２１ｋの内周面の終点側縁部３０４の左右幅の略中央の上となる部分には、始点側に突出する流下ガイド部２１ｍが設けられている。流下ガイド部２１ｍは、略半円状である終点側縁部３０４の半径より僅かに長く、排出用導出部２０ａの終点側縁部３０４の半円の中心より先に突出した状態となっている。
【０１９７】
そして、流下ガイド部２１ｍの先端部の下面は、底部２１６の上面からの高さが遊技球の直径より僅かに高いものとされ、さらに、流下ガイド部２１ｍの下面は、基端部側（導出部囲い壁２１ｋの内周面側）に向かうにつれてほぼ円弧状に湾曲して下り傾斜するように構成されている。
これにより流下ガイド部２１ｍの下面が排出用導出部２０ａ上に流下してきた遊技球のほぼ水平方向となる進行方向を円滑に下方に変換して、遊技球を円滑に排出用導出部２０ａ内に流下させるようになっている。これにより、遊技球が排出用導出部２０ａの部分で撥ねたりして遊技球の排出用導出部２０ａへの流下が遅れ、次ぎに排出される遊技球と衝突して、遊技球の排出に支障がでるのを防止することができる。
【０１９８】
導出部囲い壁２１ｋにより筒体部２０１の切欠部２１ｄから露出する導出凸部２１ｉの周囲が覆われることになるが、導出凸部２１ｉの上方が開放した状態となってしまうので、導出部囲い壁２１ｋの筒体部２０１の切欠部２１ｄから筒体部２０１（第２筒体２１ｂ）の円周の外側となる部分の上に天板部２１ｈが形成されている。
【０１９９】
また、導出囲い壁２１ｋは、筒体部２０１の切欠部２１ｄから突出しているように形成されているので、筒体部２０１の内周面側から見ると凹部となり、この凹部内に誘導された遊技球が排出用導出部２０ａから導出されることになる。
従って、回転体収容部２０３の側壁となる筒体部２０１における第２球受部２１２に対応する部位を外側に凹ませることで遊技球を導出するための導出凹部２０５を形成するとともに、該導出凹部２０５の底部となる導出凸部２１ｉの流下端部に前記排出用導出部２０ａ（の閉塞されていない部分）を形成している。
【０２００】
ここで、排出用導出部２０ａの検出孔３０６と上下に重なっている以外の部分、すなわち、終点側端部を除く部分は、検出センサ２１７と上下に重なって閉塞された状態となる。排出用導出部２０ａの閉塞された部分は、必ずしも開口している必要はなく、検出センサ２１７の上面部分のほぼ高さ位置で閉塞されていても良い。この場合にこの閉塞された部分が導出凹部２０５の底部となる。そして、上述の排出用導出部２０ａの傾斜した内側縁部３０２及び外側縁部３０１が導出凹部２０５の底部となり、この導出凹部２０５の底部は、底部２１６の筒体部２０１の内部側の上面、すなわち、回転体収容部２０３の底部より一段低くなっており、排出用導出部２０ａの傾斜した内側縁部３０２がこれら底部の段差部分となる。また、排出用導出部２０ａの検出センサ２１７の検出孔３０６と重なる部分が排出用導出部２０ａとなる。なお、上述の構成においても、排出用導出部２０ａの検出孔３０６と重ならない部分は、検出センサ２１７により閉塞されており、実質的に検出孔３０６と上下に重なる部分が排出用導出部２０ａとなる。
【０２０１】
以上のことから、排出用導出部２０ａの一部を閉塞する底部を設けた場合に、導出凹部２０５の底部は回転体収容部２０３の底部よりも下方に段差を設けて形成するとともに、回転体収容部２０３の底部から導出凹部２０５の底部に架けて傾斜面（傾斜した内側縁部３０２）を形成したことになる。
【０２０２】
以上の排出用導出部２０ａを有する底部２１６と、筒体部２０１と、後述の底部材２１８からスプロケット２１０を収納する回転体収容部２０３が構成される。すなわち、遊技機１００の排出装置２００は、スプロケット２１０を収納するとともに、底部２１６に球受部２０８，…からの遊技球を下流側に排出するための導出口（排出用導出部２０ａ）が形成される回転体収容部２０３を有する。
【０２０３】
底部材２１８は、図４に示すように、概略、薄い（軸方向の長さが短い）有底円筒状の形状を有するもので、その径が筒体部２０１の下端部となる第２筒体２１ｂと略等しくされている。そして、底部材２１８の外周部の上部には、互いに周方向に間隔を開けて複数（３個）の固定片３１１が設けられている。この固定片３１１は、筒体部２０１の下段の第２筒体２１ｂの外周部に互いに周方向に間隔をあけて形成された固定ボス３１２に対応して形成れたものである。そして、固定片３１１，…を固定ボス３１２にビス止めすることにより筒体部２０１の下端部に底部材２１８が固定される。また、底部材２１８には、底部２１６が位置決めされて載置された状態となっており、筒体部２０１に底部材２１８を固定することで、底部２１６が筒体部２０１に固定される。
【０２０４】
底部材２１８には、その中央部に、前記底部２１６下面の中央部から下方に突出する筒状の軸受孔２１ｎの下端部が嵌合する嵌合孔を有する円筒状の嵌合筒３１５が設けられている。
また、底部材２１８には、検出センサ２１７を収容した状態に固定する四角筒状のセンサ取付部３１３が設けられている。なお、検出センサ２１７は、その検出孔３０６が排出用導出部２０ａに対応して筒体部２０１から一部外側にはみ出すように構成されており、センサ取付部３１３も円筒状の底部材２１８本体から一部（検出センサ２１７の検出孔３０６が配置される部分）が外側に突出した状態となる。
【０２０５】
底部材２１８の底板の検出センサ２１７の検出孔３０６と重なる位置には、検出孔３０６と上下に重なるように遊技球が通過可能で、検出孔３０６と略同径の穴が形成され、この穴を介して排出用導出部２０ａから遊技球をシュート２４０の排出流路２４８の流入口に流下させるようになっている。
【０２０６】
以上のような遊技機において、貯留タンク２２０及び排出装置２００においては、以下のようにして遊技球を排出することになる。
まず、貯留タンク２２０には、遊技機１００が設置された遊技店の島設備（遊技機１００の外部）から遊技球が供給され、基本的に貯留タンク２２０に溢れ出ない程度の量の遊技球が貯留された状態となっている。
【０２０７】
そして、貯留タンク２２０内に貯留された遊技球は、その底壁２２ａの上面の傾斜部２２ｈの左右方向の傾斜により、貯留タンク２２０の排出装置２００が設けられた一方の端部に対して反対側となる他方の端部から、一方の端部に流動可能な状態となる。さらに、傾斜部２２ｈがスプロケット２１０の回転方向に対応して、遊技機１００の前後方向にも傾斜していることと、この傾斜の上流側より下流側の方を段差を設けて低くした誘導段部２２ｉを設けたことから、図１５に示すように、傾斜部２２ｈと誘導部２２ｇとの境界部分からスプロケット２１０の回転方向に進んだ側の部分において、スプロケット２１０の回転方向に沿った方向に遊技球が流動可能となっている。
【０２０８】
これにより、貯留タンク２２０の排出装置２００と重なった状態となる一方の端部の底壁２２ａに設けられたそれぞれ円環状で互いに同心円状に配置された外周側の誘導部２２ｇと内周側の回転誘導部２１ｆと、これらの間に配置された導入部２０２との部分上に貯留タンク２２０の他方の端部から遊技球が供給されるとともに、スプロケット２１０の回転に対応して、スプロケット２１０の外周部の導入部２０２から露出する球受部２０８，…に遊技球が導入されることになる。
【０２０９】
また、貯留タンク２２０内の遊技球が他方の端部から一方の端部側に流動する際に、高さ制限部材２６０と駆動源取付部材２０６とにより、上述の誘導部２２ｇ、導入部２０２、回転誘導部２１ｆ上に積み重なる遊技球の高さが低くされる。すなわち、貯留タンク２２０の高さ制限部材２６０は、傾斜部２２ｈと誘導部２２ｇとの境界部分より僅かに傾斜部２２ｈ側から配置され、上述の先端側の湾曲部２６３及びその後の延設部２６２により、貯留タンク２２０の一方の端部より他方の端部側の遊技球の積み重なる高さに対して、一方の端部側に積み重なる遊技球の高さを低くするようになっている。
【０２１０】
これにより、誘導部２２ｇ及びそれより内側の部分上に積み重なる遊技球の高さが低くされ、この部分において遊技球の荷重により下方向に向かう球圧が低減される。また、高さ制限部材２６０は、略遊技球の直径間隔で配置された切り込み２６５，…により、櫛歯状とされることで、各櫛歯部２６４，…がそれぞれ個別に弾性変形可能となって、撓むことにより、高さ制限部材２６０と貯留タンク２２０の底壁２２ａとの間に遊技球が流入した際に、高さ制限部材２６０と底壁２２ａとの間に遊技球が噛み合ってブリッジを形成して流動しずらい状態となるの防止することができる。
【０２１１】
また、高さ制限部材２６０の取付部２６１が、ステッピングモータ２０４を載せた状態の駆動源取付部材２０６に取り付けられていることにより、ステッピングモータ２０４を作動させた場合に、それによって生じる振動が駆動源取付部材２０６から高さ制限部材２６０に伝わり、上述のブリッジが生じてしまった場合でも、これを崩すことができる。
【０２１２】
そして、貯留タンク２２０の排出装置２００側端部においては、上述のように高さ制限部材２６０と、駆動源取付部材２０６により、貯留タンク２２０に貯留された遊技球を排出装置２００内に導入する導入部２０２上に積み重なる遊技球の高さが制限され、導入部２０２及びその近傍において、遊技球の荷重に基づく球圧を減少させ、導入部２０２から円滑に排出装置２００内（スプロケット２１０の球受部２０８，…内）に遊技球を導入させることができる。
【０２１３】
また、貯留タンク２２０とほぼ同じ幅を有する導入部２０２においては、外周部の上面が略水平で略垂直な回転軸回りに回転するスプロケット２１０の外周部に設けられた１０個の球受部２０８，…の上部開口が全て臨んだ状態とされ、さらに、導入部２０２の外周側から内側に下り傾斜する誘導部２２ｇが形成され、導入部２０２の内側のスプロケット２１０上面に回転誘導部２１ｆが形成さていることで、導入部２０２の直上、外側の誘導部２２ｇ、内側の回転誘導部２１ｆから遊技球が流入可能となる。また、上述の構成から球受部２０８，…がどの回転位置にあっても略同じ条件で遊技球が流入するようになっているので、球受部２０８，…に遊技球が流入可能な空きができれば、いつでも遊技球が流入可能となる。
【０２１４】
これにより、確実に球受部２０８に遊技球を流入させることができる。また、球受部２０８，…には、上下三段に遊技球が流入可能となっているので、万が一に、球受部２０８，…が遊技球を導出する位置に来るまでに新たに遊技球が球受部２０８，…に流入しなくても、球受部２０８，…には、遊技球が１個もしくは２個配置されていることになり、球受部２０８，…が遊技球を導出する位置に移動したにも拘わらず、球受部２０８，…に遊技球が無いことによって、遊技球が導出されないような事態を防止することができる。
【０２１５】
従って、スプロケット２１０の回転によって円滑に遊技球を導出することができる。すなわち、球受部２０８，…には、遊技球が上下三段分保持されれば、スプロケット２１０が３周する間に遊技球が流入すれば、遊技球が導出されないような事態を防止することができる。また、上述のようにいつでも遊技球が球受部２０８，…に流入可能なので、球受部２０８，…に２つ以上の空きが生じた場合も、直ぐに遊技球が流入して空きがなくなる可能性が高く、たまたまスプロケット２１０が一周する間に遊技球が流入しなかった球受部２０８，…があっても問題が生じることがない。
【０２１６】
また、球受部２０８，…に遊技球を上下三段に保持可能とすると、最下段の遊技球に、それより上の遊技球の荷重がかかることになるが、上述のように上下三段の遊技球を垂直に一列に配置することなく、上側の遊技球に対して下側の遊技球が内側に斜めに配置されるようにしている。例えば、スプロケット２１０の上下三段の遊技球のうちの中段の遊技球が配置される中間球受部２１３の位置においては、回転体収容部２０３の側壁となる筒体部２０１の中間筒体２１ｃの内周面が、中段の遊技球の斜め下側に接触する傾斜面とされていることにより、最上段及び中間に配置される遊技球の荷重の一部を回転体収容部２０３の側壁の傾斜面が受けて、最下段の遊技球に上段の遊技球によってかかる荷重を低減することができ、スプロケット２１０の回転に支障が生じることを防止している。
【０２１７】
そして、球受部２０８，…においては、最上段から受け入れた遊技球が、順次下に移動し最下段に至った後に、排出用導出部２０ａから導出されることになる。
この際には、スプロケット２１０が高速で回転すると上述のように導出口の周縁とスプロケット２１０の歯との間に導出すべき遊技球を挟んで、遊技球を導出できなくなるとともに、挟まれた遊技球を取り除かないとスプロケット２１０の回転を再開できない状態となる。
【０２１８】
そこで、導出口としての排出用導出部２０ａにおいては、その導出口となる部分が、スプロケット２１０の最下段となる第２回転体２０ｑの歯先円より外側にずらして配置されていることにより、排出用導出部２０ａの周縁とスプロケット２１０の歯とにより遊技球を挟むことがない構成となっている。
例えば、図２０（Ａ）及び図２１（Ａ）に示すように、排出用導出部２０ａの手前側で排出用導出部２０ａに近接した遊技球は、その中心の軌跡より外側となる排出用導出部２０ａに、スプロケット２１０の回転時の遠心力と、排出用導出部２０ａの内側周縁部に形成され、かつ、スプロケット２１０の回転時の遊技球の中心の軌跡と重なる位置にあり、さらに、排出用導出部２０ａ側（遊技球の中心の軌跡の外側）に向かって下り傾斜する傾斜面とによって導かれる。そして、図２０（Ｂ）及び図２１（Ｂ）に示すように、スプロケット２１０の歯によりさらに遊技球が押されて排出用導出部２０ａに近付くが、この際には、遊技球の進行方向が円弧状とならず、図２０（Ａ）及び図２１（Ａ）の時点における遊技球の回転経路の接線方向の延長線に沿ったものとなる。
そして、図２０（Ｃ）及び図２１（Ｃ）に示すように、遊技球が下方に流下可能となる排出用導出部２０ａの終点側端部に至る前に、遊技球がスプロケット２１０の歯から外側に完全に離れた状態となり、遊技球が排出用導出部２０ａから下方に流下する段階では、スプロケット２１０の歯と排出用導出部２０ａの終点側縁部３０４との間に遊技球が挟まれることが不可能な状態となる。
【０２１９】
以上のことから、排出装置２００においては、スプロケット２１０の回転角度に応じた数の遊技球が必ず排出されるとともに、導出口において遊技球を挟むことで、スプロケット２１０が回転しない状態となってしまうのを防止することができる。特に、スプロケット２１０が回転しない状態となると、係員による作業が必要になる可能性があるが、これを確実に防止することで、遊技者が係員の作業待ちで遊技ができない状態となるようなことがなく、遊技者が遊技ができない状態となることへの不満を抱くような事態の発生を確実に防止することができる。
【０２２０】
以上のような排出装置２００の排出制御基板３４の制御では、遊技中、遊技盤１の前面側の遊技領域に設けられた各入賞口（各種入賞装置を含む）のセンサから遊技球が入賞したことを示す信号が主制御基板３０に入力されると、主制御基板３０から各入賞口に対応する賞球数のデータを含む賞球コマンドが排出制御基板３４に出力される。
そして、排出制御基板３４においては、賞球数に対応する回転角度だけスプロケット２１０（ステッピングモータ２０４の回転軸２０ｚ）を回転するように、ステッピングモータ２０４に上述の回転角度に対応する数のパルスが順次出力される。
【０２２１】
ここで、上述のようにスプロケット２１０の外周に周方向に一列に並んで互いに等間隔に１０個の球受部２０８，…が設けられるものとすると、１／１０回転すなわち、３６．０度ずつスプロケット２１０が回転するたびの１個の遊技球が導出されることになる。また、遊技球が導出されると、検出センサ２１７が排出される遊技球を検出し、検出信号を排出制御基板３４に出力し、排出制御基板３４はスプロケット２１０の回転角度に対応して遊技球が導出したことを検出することができるようになっている。
【０２２２】
また、この例のステッピングモータ２０４は、１ステップの回転角度すなわち１パルスの入力に対する回転角度が１．８度とされているので、例えば、１個の遊技球を払い出すのに必要な３６．０度回転するのに２０パルス入力される必要がある。また、賞球の払い出し時にスプロケット２１０を順方向に回転させる場合に排出制御基板３４は、ステッピングモータにパルスを３ｍｓ（ミリ秒）おきに出力するようになっている。従って、ステッピングモータを連続回転させた場合には、１分すなわち、６００００ｍｓに２００００回パルスが出力され、３６０００度回転する、すなわち、１００回転することになる。従って、スプロケット２１０は、順方向に毎分１００回転で回転可能とされ、最大、毎分１０００個の遊技球を排出可能に設定されている。
【０２２３】
従って、例えば、賞球数が５であることを示す賞球コマンドが排出制御基板３に出力された場合には、スプロケット２１０を３６．０×５度だけ回転させるために、３ｍｓ毎に１００パルス出力されることなり、３００ｍｓすなわち０．３秒でスプロケット２１０が１８０度回転して５個の遊技球が順次払い出されることになる。そして、排出制御基板３４は、賞球数のデータに対応した個数の遊技球が排出されたか否かを検出センサからの検出信号により確認し、実際に検出された遊技球数が少ない場合には、不足する遊技球数分だけ再びスプロケット２１０を回転する。すなわち、遊技球が一つ不足する毎に遊技球を１個排出する回転角度として３６．０度ずつスプロケット２１０を再び回転させるようになっている。
【０２２４】
この制御により、万が一にも遊技球を導出する位置まで回転した球受部２０８，…から遊技球が排出されない事態が発生しても、所定の賞球数となる遊技球を排出することができる。また、排出制御基板３４は、遊技機１００に隣設して設けられた球貸機から入力される貸球コマンドに基づいても遊技球を排出可能となっている。この場合の排出装置２００における貸球の払い出しの制御は、基本的に賞球の払い出しと同様となる。
【０２２５】
また、これら賞球及び貸球の払い出しの制御においては、上述の半端センサ２２ｋからの遊技球の検出信号が途絶えた場合、すなわち、遊技球が検出できないことを示す信号が排出制御基板３４に入力した場合には、排出装置２００を作動させないようになっている。これにより、貯留タンク２２０に１回の排出に必要な遊技球が十分に無い可能性がある場合に遊技球の排出を行わないようになっている。
【０２２６】
次ぎに、排出装置２００と一体となった貯留タンク２２０における球抜き方法を説明する。まず、遊技機１００において、機枠１１０に対して前面枠１２０を開放した状態にし、裏機構枠１６０上の排出装置２００貯留タンク２２０を見える状態とする。
次ぎに、貯留タンク２２０において、係止ピン４０５を取り外すことで、貯留タンク２２０から排出装置２００を取り外し可能とする。
【０２２７】
次ぎに、排出装置２００を手で持って、排出装置２００を貯留タンク２００から切り離す方向に移動する。この際には、図６に示すように、排出装置２００は、その被ガイド支持板４２１が貯留タンクの上下のガイドに案内されるとともに、被ガイド支持板４２１のスリット４２２が支持ピン４０６に案内され、かつ、排出装置２００の移動支持部５１１が裏機構枠１６０の排出受け部１６ｈに設けられたガイド部５０５に案内される。
【０２２８】
そして、貯留タンク２２０から排出装置２００を僅かに離した状態では、被ガイド支持板４２１が略水平な上下のガイドに挟まれた状態で、かつ、移動支持部５１１がガイド部５０５の略水平な傾斜下水平部５０５ｃ上を移動する状態となるので、排出装置２００は、傾くことなく、略水平方向に移動することになる。
そして、貯留タンク２２０から排出装置２００を離すにつれて、貯留タンク２２０の底壁２２ａと排出装置２００の誘導部２２ｇとの間の間隔が開くことで球抜き開口部が開放されていくことになる。
【０２２９】
この際に、底壁２２ａと誘導部２２ｇとの間に遊技球の直径以上の間隔が開くと、遊技球が球抜き開口部５３１から下方に流下し始めることになる。この際には、排出装置２００の誘導部２２ｇから貯留タンク２２０側に向かって開口した状態に設けられる第１球抜き流路５０１の流入口は、球抜き開口部５３１の下方に有り、流入状態から完全に球抜き状態となる前に、球抜き開口部５３１から遊技球が流下しても全て、第１球抜き流路５０１に流入することになる。
【０２３０】
この際に、第１球抜き流路５０１が未だ第２球抜き流路５０２の流入口５０３まで至っていない場合には、第１球抜き流路５０１の下端部に近接した状態（遊技球の直径より近い状態）の排出受け部１６ｈが第１球抜き流路５０１の流出口を閉塞した状態なので、遊技球が漏出することがない。
また、排出装置２００を僅かに移動させれば、第１球抜き流路５０１の流出口の一部と、第２球抜き流路５０２の流入口５０３の一部が上下に重なった状態となり、この重なった部分の排出装置２００の移動方向に沿った幅が遊技球の直径より長くなれば、第１球抜き流路５０１から第２球抜き流路５０２に遊技球が流下することになる。
【０２３１】
なお、球抜き開口部５３１が完全に開く前に遊技球が第１球抜き流路５０１に流入する際に、第１球抜き流路５０１の流入口の排出装置２００側の辺は、誘導部２２ｇに接続され、流入口の貯留タンク２２０側の辺は、底壁２２ａの下側に配置されるとともに、下方延出壁５４１より奥側となるので、第１球抜き流路５０１内に流入した遊技球が第１球抜き流路５０１の流入口から外部に溢れ出ることはない。
【０２３２】
また、第１球抜き流路５０１の流出口の一部と第２球抜き流路５０２の流入口５０３の一部が重なり、第１球抜き流路５０１から第２球抜き流路５０２に遊技球が流入した際には、第２球抜き流路５０２の第１球抜き流路５０１と重なっていない部分が開放した状態となっているが、第２球抜き流路５０２内に流入した遊技球は、下方にそのまま流下されるので、第２球抜き流路５０２の開放部分から遊技球が外部に漏れることがない。また、第２球抜き流路５０２の流入口５０３の遊技機１００の左右方向に沿った幅は、遊技球の直径の２倍程度より僅かに広いものとされているので、第１球抜き流路５０１の流出口と第２球抜き流路５０２の流入口５０３とが、遊技球が第１球抜き流路５０１から第２球抜き流路５０２に流入可能な状態まで重なった場合に、重なっていない第２球抜き流路５０２の開放部分は、遊技球がほとんど流通できない状態となる。
【０２３３】
なお、第２球抜き流路５０２の流入口５０３の上述の開放部分が遊技球が飛び出す程度に開放され、かつ、万が一に流下する遊技球が撥ねることにより、上述の開放部分を遊技球が通過しようとしても、上方延出壁５０４により遊技球が撥ねて外部に飛び出るのを防止することができる。
従って、排出装置２００の流入状態から球抜き状態への移動途中において、遊技球が外部に流出することがない。
【０２３４】
そして、さらに貯留タンク２２０から排出装置２００を離す方に移動すると、図７に示すように、被ガイド支持板４２１の先端部が上のガイドリブ５２１より端側となり、被ガイド支持板４２１の上方への移動の規制が解除されるとともに、移動支持部５１１がガイド部５０５の傾斜部５０５ｂを移動することで、排出装置２００を上側に向かって案内することになる。また、被ガイド支持板４２１は、スリット４２２に支持ピン４０６が挿入されることで、被ガイド支持板４２１の回転は許容するが、支持ピン４０６の位置におけるスリット４２２の上下動を規制した状態となり、排出装置２００は、略水平に移動しながら、上端部を貯留タンク２２０側に近づけ、下端部を貯留タンク２００側から離すように回転して排出装置２００が傾くことになる。
【０２３５】
そして、排出装置２００が球抜き状態となると、図９，１０に示すように、第１球抜き流路５０１は、その流入口と球抜き開口部５３１がほぼ重なった状態となり、その流出口と第２球抜き流路５０２の流入口５０３が重なった状態となる。また、この際に排出装置２００が傾くこととにより第１球抜き流路５０１の下端部は、排出装置２００の水平移動の移動量よりさらに裏機構枠１６０の端側に移動し、第２球抜き流路５０２を裏機構枠１６０において表示ユニット１７０の邪魔にならない端側に設けることが容易となる。
すなわち、排出装置２００の下部となり、排出導出部２０ａを有する回転体収容部２０３の流入状態における位置と、球抜き状態における第１球抜き流路５０１の位置とが重なるようになっているので、第１球抜き流路５０１に連通する第２球抜き流路５０２を、排出装置２００の排出導出部２０ａからの遊技球が流入する排出流路２４８とほぼ同じ位置に配置可能となり、第２球抜き流路５０１を排出流路２４８と同様に遊技盤１と前後に重なる位置より左右方向の外側もしくは遊技盤１の端となる側縁部と重なる位置に配置することが可能となる。
【０２３６】
そして、排出装置２００を球抜き状態の位置に配置した際には、移動支持部５１１がガイド部５０５の傾斜上水平部５０５ａに至ることになるが、この際には、ガイド部５０５の傾斜部５０５ｂと傾斜上水平部５０５ａとの境界部分に設けられた係合部５０５ｄを移動支持部５１１が乗り越え、移動支持部５１１の下端部を係合部５０５ｄに係合した状態に保持できるので、排出装置２００を球抜き状態まで移動した後に、排出装置２００から手を離しても排出装置２００は球抜き状態に維持される。そして、球抜き状態においては、貯留タンク２２０内に遊技球が底壁２２ａの傾斜に沿って全て第１球抜き流路５０１を介して第２球抜き流路５０２に流出する。また、排出装置２００側に貯留される遊技球は、排出装置２００を誘導部２２ｇの傾斜角より大きな角度で傾けることで、誘導部２２ｇの全ての部分において、その上面の傾斜が球抜き開口部５３１側に傾斜することになり、誘導部２２ｇ及びスプロケット２１０上の遊技球が全て第１球抜き流路５０１を介して第２球抜き流路５０２に流出する。なお、第２球抜き流路５０２の裏機構枠１６０より下方には、例えば、さらに遊技球を下方に誘導する流路を設けても良いし、例えば、ホース状のフレキシブルな流路を接続し、球箱や島設備の排出球集合樋等に遊技球を流出可能としても良い。これにより、遊技球は遊技機１００の外部に排出される。
【０２３７】
以上のようなこの実施形態の遊技機１００は、外部から供給される遊技球を貯留する貯留タンク２２０と、該貯留タンク２２０の底壁２２ａの傾斜下流側に位置し該貯留タンク２２０と一体的に設けられ該貯留タンク２２０に貯留されている遊技球を所定数ずつ排出可能な排出装置２００と、を備えたタンク排出装置２３０を有する。そして、前記貯留タンク２２０を遊技機１００本体に取り付け、該貯留タンク２２０に対して前記排出装置２００を前記底壁２２ａの傾斜下流側に移動可能にすることで、前記貯留タンク２２０から前記排出装置２００に遊技球が流入可能な流入状態から、前記貯留タンク２２０の底壁２２ａの下流端部と前記排出装置２００との間に球抜き開口部５３１を形成する球抜き状態へ変換可能に構成し、前記球抜き状態で前記貯留タンク２２０に貯留されている遊技球を前記球抜き開口部５３１から流下させ当該遊技機１００外部に排出する球抜き流路を設け、前記球抜き流路は、前記排出装置に設けられる第１球抜き流路５０１と、前記第１球抜き流路５０１の下流側で、前記遊技機１００本体に裏機構枠１６０を介して設けられる第２球抜き流路５０２と、からなり、前記第１球抜き流路５０１は、前記排出装置２００とともに移動し、前記球抜き状態で前記球抜き開口部５３１と、前記第２球抜き流路５０２とに連通するようにしている。
【０２３８】
従って、貯留タンク２２０から排出装置２００に遊技球を直接流入できるように、貯留タンク２２０と排出装置２００とが一体に形成された状態で、該貯留タンク２２０に対して前記排出装置２００を前記底壁２２ａの傾斜下流側に移動可能にすることで、前記貯留タンク２２０から前記排出装置２００に遊技球が流入可能な流入状態から、前記貯留タンク２２０の底壁２２ａの下流端部と前記排出装置２００との間に球抜き開口部５３１を形成する球抜き状態へ変換可能となっている。従って、排出装置２００を貯留タンク２２０の底壁２２ａの下流側、すなわち、貯留タンク２２０から離れる側に移動して、球抜き開口部５３１を開放することにより、短時間に多くの遊技球を貯留タンク２２０を空にするための球抜き用として排出可能となる。すなわち、短時間で貯留タンク２２０を空にすることができる。
【０２３９】
また、排出装置２００に設けられる第１球抜き流路５０１を、その下側の遊技機１００本体側（裏機構枠１６０）に設けた第２球抜き流路５０２に連通させることで、貯留タンク２２０から排出された遊技球は、排出装置２００の第１球抜き流路５０１から遊技機１００本体側の第２球抜き流路５０２に流下して球抜きされる。この際に、第１球抜き流路５０１は、球抜き開口部５３１を開放するために、排出装置２００を貯留タンク２２０の底壁２２ａの傾斜下流側に移動させることで、第１球抜き流路５０１は、遊技機１００本体の左右の中央部よりの位置から排出装置２００側に移動することになる。すなわち、第１球抜き流路５０１の下端部が、排出装置２００の移動に伴って排出装置の排出口に連通する排出用の球流路（排出流路２４８）側に近付く方向、すなわち、遊技機１００本体の左右の中央から離れる方向に移動することになる。
【０２４０】
従って、貯留タンク２２０と移動した排出装置２００との間、すなわち、遊技機１００本体の左右の中央に比較的近い位置に球抜き開口部５３１が開放するものとしても、球抜き開口部５３１から遊技機１００本体側の第２球抜き流路５０２に遊技球を導出させる第１球抜き流路５０１が遊技機１００本体の左右の中央よりの位置から左右の中央より端となる位置、特に、移動前の排出装置２００の位置側に移動することになることから、遊技機１００本体側の第２球抜き流路５０２は、排出装置２００から払出される遊技球（賞球）用の球流路（排出流路２４８）に近い位置に配置可能となる。これにより、第２球抜き流路５０２が遊技盤１裏面側上部の左右の中央よりに配置されることがなく、第２球抜き流路５０２が、遊技盤１裏面の変動表示装置が配置される空間を狭めてしまうのを防止できる。なお、排出装置２００から排出される賞球用の球流路は、上述のように貯留タンク２２０と排出装置２００とを一体的に設けることで、球流路の途中に排出装置２００が配置されることがなく、左右幅を狭くすることができ、遊技機１００本体の端側によせて配置することで、遊技盤１裏面に大きな空間をあけることに貢献している。
【０２４１】
以上のように、貯留タンク２２０と排出装置２００とが一体に設けられ、かつ、貯留タンク２２０の底壁２２ａの傾斜下流側の端部に排出装置２００が配置され、貯留タンク２２０から排出装置２００をさらに底壁２２ａの傾斜下流側に移動すること、すなわち、貯留タンク２２０から排出装置２００を離すように移動することで、球抜き開口部５３１を貯留タンク２２０と排出装置２００との間に開放する構成としても、球抜き開口部５３１から遊技機１００本体側の第２球抜き流路５０２に遊技球を導出させる第１球抜き流路５０１が遊技機１００本体の左右の中央よりの位置から左右の中央より端となる位置に移動することになることから、遊技機１００本体側の第２球抜き流路５０２を賞球を払出す排出流路２４８とほぼ同じ左右位置に配置可能となり、遊技盤１裏面に大きな空間を確保可能となる。
【０２４２】
また、排出装置２００は、貯留タンク２２０の底壁２２ａの下流側から遊技球が流入する構成となるので、排出装置２００の少なくとも下部は、貯留タンク２２０の底壁２２ａより下側となる。そして、流入状態における第１球抜き流路５０１は、排出装置２００よりも貯留タンク２２０の底壁２２ａの中央側となる。そこで、第１球抜き流路５０１の下端部は、上述の大型化された変動表示装置の配置位置に干渉しないように、排出装置２００の下端部とほぼ同じ高さ位置となっていることが好ましい。
【０２４３】
また、この実施形態の遊技機１００において、前記排出装置２００は、回転軸２０ｚを中心に回転可能に構成されるとともに、前記貯留タンク２２０の遊技球が導入される導入部２０２から遊技球を受け入れる複数の球受部２０８を有するスプロケット２１０を備え、該スプロケット２１０の回転に応じて、該球受部２０８…に遊技球を受け入れるとともに受け入れた遊技球を導出部２０ａに１個宛導出するように構成され、前記流入状態から前記球抜き状態への移動で前記排出装置２００を斜め上方に移動し、前記導入部２０２が前記球抜き開口部５３１に向けて下り傾斜するようにしている。
【０２４４】
従って、回転軸２０ｚを中心に回転可能に構成されるとともに、前記貯留タンク２２０の遊技球が導入される導入部２０２から遊技球を受け入れる複数の球受部２０８を有するスプロケット２１０を備え、該スプロケット２１０の回転に応じて、該球受部２０８に遊技球を受け入れるとともに受け入れた遊技球を導出部２０ａに１個宛導出するが、この際に、導入部２０２は、上述のように傾斜している必要があり、この際に導入部２０２上の遊技球は、導入部２０２の傾斜により、貯留タンク２２０の開放された球抜き開口部５３１から流出せず、貯留タンク２２０内に残ってしまう可能性がある。
【０２４５】
そこで、排出装置２００は、流入状態から前記球抜き状態への移動で前記排出装置を斜め上方に移動して傾けることにより、前記導入部２０２が前記球抜き開口部５３１に向けて下り傾斜するようにしたので、導入部２０２上の遊技球も排出装置２００を傾けることで、球抜き開口部５３１から流出することになり、貯留タンク２２０内に遊技球が残るのを防止することができる。
【０２４６】
また、排出装置２００を斜め上方に移動させた場合に、第1球抜き流路５０１を斜めに
移動させることができ、第１球抜き流路５０１の貯留タンク２２０側となる上端部を球抜き開口部５３１に向けた状態で、第１球好き流路５０１の下端部を、上述のように球抜き開口部５３１より外側となった第２球抜き流路５０２側に近づけるように移動することができる。なお、第1球抜き流路５０１を移動前から斜めとし、水平な平行移動で、遊技機
１００本体の左右方向の中央よりの球抜き開口部５３１から端よりの第２球抜き流路５０２に排出装置２００とともに移動させることも可能であるが、排出装置２００とともに第1球抜き流路５０１を斜めとした方が排出装置２００の移動量に対して効率的に第1球抜き流路５０１で排出される遊技球を遊技機１００本体の左右方向の端側に誘導できる。
【０２４７】
また、この実施形態の遊技機１００において、前記排出装置２００は、前記導入部２０２の下方に前記回転体としてのスプロケット２１０を収容する回転体収容部２０３を設け、前記流入状態で前記回転体収容部２０３が位置する領域の一部と、前記球抜き状態で前記第１球抜き流路５０１が位置する領域の一部とが重なるようにしている。
【０２４８】
従って、排出装置２００を上述のように傾けて球抜き開口部５３１を開放させる球抜き状態とした際に、排出装置２００の導入部２０２の下方に設けられた回転体収容部２０３が流入状態の位置に、第１球抜き流路５０１が移動することになる。すなわち、第１球抜き流路５０１の少なくとも下端部が排出装置２００の導出部２０ａに近付くことになり、第２球抜き流路５０２と、導出部２０ａから排出される遊技球の流路（排出流路２８４）とを略同じ位置にすることが可能となる。
すなわち、遊技機１００本体側の第２球抜き流路５０２を確実に遊技機１００本体の裏面の端側に配置することが可能となり、遊技機１００本体の裏面側に大きな空間を確実に確保できる。
【０２４９】
また、この実施形態の遊技機１００において、前記排出装置２００に前記流入状態と前記球抜き状態との移動を支持する移動支持部５１１が設けられ、前記遊技機１００本体に、前記移動支持部５１１をガイドするガイド部５０５が設けられ、前記ガイド部５０５に、前記排出装置２００が前記球抜き状態で前記移動支持部５１１と係合する係合部５０５ｄが設けられている。
【０２５０】
従って、前記排出装置２００に前記流入状態と前記球抜き状態との移動を支持する移動支持部５１１が設けられ、前記遊技機１００本体に、前記移動支持部５１１をガイドするガイド部５０５が設けられているので、ガイド部５０５に移動支持部５１１を支持させることが可能となり、移動支持部５１１を介して移動中の排出装置２００を遊技機１００本体側に支持させることができる。
すなわち、排出装置２００を貯留タンク２２０だけで移動自在に支持する場合は、貯留タンク２２０と排出装置２００との連結部分を高い強度を有する構造とする必要があり、組み立ての作業製やコスト的に問題があるが、遊技機１００本体側でも排出装置２００の移動をガイドする構造とすることで、排出装置２００を移動自在としても強度的に問題が無くスムーズに排出装置２００を移動できる。
【０２５１】
また、前記ガイド部５０５に、前記排出装置２００が前記球抜き状態で前記移動支持部５１１と係合する係合部５０５ｄが設けられているので、貯留タンク２２０内の遊技球を全て排出するまで、排出装置２００を手で支えていなくても、係合部５０５ｄに移動支持部５１１を係合させることで、排出装置２００を球抜き状態に保持することができるので、作業員は、貯留タンク２２０内の遊技球を排出している間に、他の作業を行うことができ、例えば、排出された遊技球を球箱等に入れたりすることができる。
【０２５２】
なお、本発明の遊技機は、遊技機として、前記実施形態のパチンコ遊技機に限られるものではなく、遊技球を払い出す各種遊技機に適用可能である。
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２５３】
１００      遊技機
２００      排出装置
２０２      導入部
２０３      回転体収容部
２０８      球受部
２０ａ      排出用導出部（導出部）
２０ｚ      回転軸
２１０      スプロケット（回転体）
２２０      貯留タンク
２２ａ      底壁
２３０      タンク排出装置
５０１      第１球抜き流路
５０２      第２球抜き流路
５０５      ガイド部
５０５ｄ    係合部
５１１      移動支持部
５３１      球抜き開口部
【図１】
0004722192.tif 000002
【図２】
0004722192.tif 000003
【図３】
0004722192.tif 000004
【図４】
0004722192.tif 000005
【図５】
0004722192.tif 000006
【図６】
0004722192.tif 000007
【図７】
0004722192.tif 000008
【図８】
0004722192.tif 000009
【図９】
0004722192.tif 000010
【図１０】
0004722192.tif 000011
【図１１】
0004722192.tif 000012
【図１２】
0004722192.tif 000013
【図１３】
0004722192.tif 000014
【図１４】
0004722192.tif 000015
【図１５】
0004722192.tif 000016
【図１６】
0004722192.tif 000017
【図１７】
0004722192.tif 000018
【図１８】
0004722192.tif 000019
【図１９】
0004722192.tif 000020
【図２０】
0004722192.tif 000021
【図２１】
0004722192.tif 000022